(57)【要約】【課題】午前中の予定外の使用で湯水不足が生じる見込みとなったとき、高価な商用電源からの電力で沸上が行われるのを防止する。【解決手段】１２：００の時点で、貯湯タンク１０内の貯湯量が２３：００までに想定される湯水使用量に対して足りているかが判定される。足りていない場合、ポップアップ画面ＰＵにおいて、太陽光利用沸上運転の実行を推奨する前記メッセージＭの表示が行われる。これにより、ユーザは、このままだと高価な昼間帯の商用電源４９の電力で追加の前記沸上が行われること、それを回避するには太陽光利用沸上運転を実行すればよいこと、を明確に認識することができる。【選択図】図１８
2020109327.tif 000002
【特許請求の範囲】
【請求項１】
湯水を貯湯する貯湯タンク、前記湯水の加熱を行う加熱手段、所望の表示を行う表示手段、を備え、所定の夜間帯に前記加熱手段が前記貯湯タンク内の湯水を加熱する夜間沸上運転を行う貯湯式給湯機において、
前記貯湯タンク内における所定温度以上の湯水の貯湯量を検出する検出手段と、
所望日の前記夜間帯を除く昼間帯の第１所定時刻において、前記検出手段により検出された前記貯湯量が、前記第１所定時刻から前記夜間沸上運転の実行開始時刻より前の第２所定時刻までに想定される前記湯水の使用量以上であるか否かを判定する貯湯量判定手段と、
前記貯湯量判定手段により前記貯湯量が前記使用量未満であると判定された場合に、前記所望日の前記昼間帯での太陽光発電装置からの電力を用いた太陽光利用沸上運転の実行を推奨する推奨表示を行うように、前記表示手段を制御する推奨表示制御手段と、
前記推奨表示制御手段の制御に基づく前記表示手段の前記推奨表示に対応した、沸上操作を受け付ける、沸上操作受付手段と、
前記沸上操作受付手段により受け付けた前記沸上操作に応じて、前記所望日の前記昼間帯における前記太陽光利用沸上運転を行うように、前記加熱手段を制御する加熱制御手段と、
を有することを特徴とする貯湯式給湯機。
【請求項２】
前記推奨表示制御手段は、
前記貯湯量判定手段により前記貯湯量が前記使用量未満であると判定された場合に、前記所望日の前記第１所定時刻以降、前記第２所定時刻より前の前記昼間帯における第３所定時刻までの間、前記推奨表示を行う
ことを特徴とする請求項１記載の貯湯式給湯機。
【請求項３】
前記推奨表示制御手段の制御に基づき前記表示手段が前記推奨表示を行っている状態での適宜の操作によって当該推奨表示を消失させするように、前記表示手段を制御する、消失制御手段をさらに有する
ことを特徴とする請求項１または請求項２記載の貯湯式給湯機。
【請求項４】
前記貯湯式給湯機が前記太陽光発電装置に接続されているか否かを判定する接続判定手段をさらに有し、
前記推奨表示制御手段は、
前記貯湯量判定手段により前記貯湯量が前記使用量未満であると判定され、かつ、前記接続判定手段により前記貯湯式給湯機が前記太陽光発電装置に接続されていると判定された場合に、前記推奨表示を行う
ことを特徴とする請求項１乃至請求項３の何れか１項に記載の貯湯式給湯機。
【請求項５】
前記所望日の前記昼間帯の前記第１所定時刻以降における、前記太陽光利用沸上運転の実行の設定がなされているか否かを判定する実行判定手段をさらに有し、
前記推奨表示制御手段は、
前記貯湯量判定手段により前記貯湯量が前記使用量未満であると判定され、かつ、前記実行判定手段により前記太陽光利用沸上運転の実行の設定がなされていない判定された場合に、前記推奨表示を行う
ことを特徴とする請求項１乃至請求項４の何れか１項に記載の貯湯式給湯機。
【請求項６】
前記沸上操作受付手段は、
前記沸上操作として、予め固定的に定めた所定時間だけ前記貯湯タンク内の湯水を加熱するための第１沸上操作、予め固定的に定めた所定容量の湯水を前記所定温度以上とするための第２沸上操作、及び、前記貯湯タンク内の全湯水を前記所定温度以上とするための第３沸上操作、のうちいずれかを受け付け、
前記加熱制御手段は、
前記沸上操作受付手段により受け付けた、前記第１〜第３沸上操作のうちいずれかに応じて、前記太陽光利用沸上運転を行うように前記加熱手段を制御する
ことを特徴とする請求項１乃至請求項５の何れか１項に記載の貯湯式給湯機。
【発明の詳細な説明】
【技術分野】
【０００１】
この発明は、太陽光発電による電力を用いた沸上運転を行う貯湯式給湯機に関するものである。
【背景技術】
【０００２】
従来よりこの種の貯湯式給湯機においては、特許文献１記載のように、ＨＥＭＳ（＝Ｈｏｍｅ  Ｅｎｅｒｇｙ  Ｍａｎａｇｅｍｅｎｔ  Ｓｙｓｔｅｍ）機器が電力マネジメントを行い、気象予測情報による日照条件が良好な場合には太陽光発電装置を制御することで太陽光受光による発電を行い、貯湯式給湯機がその電力を用いて貯湯タンク内の湯水を加熱する太陽光利用沸上運転を行うものがあった。
【先行技術文献】
【特許文献】
【０００３】
【特許文献１】特開２０１８−１１５８２６号公報
【発明の概要】
【発明が解決しようとする課題】
【０００４】
一般に、貯湯式給湯機においては、夜間帯（例えば２３：００〜７：００）に貯湯タンク内の湯水を加熱する夜間沸上運転が行われる。この夜間沸上運転において、当該夜間帯以降の昼間帯（例えば７：００〜２３：００）での使用想定量の湯水を沸き上げることで、夜間帯の商用電源からの安価な電力により低コストで貯湯タンク内に貯湯することができる。
【０００５】
しかしながら、前記のようにして夜間帯に貯湯を行った後、ユーザが予定外に午前中に入浴やシャワー等により大量の湯水を使用する場合があり得る。この場合、そのままだとその後の昼間帯において通常の炊事や夕方の湯張りに使用される湯水が不足することとなるため、当該昼間帯のうちに追加で貯湯タンク内の湯水を沸き上げる必要がある。このとき、昼間帯の商用電源からの電力は高価であることから、太陽光発電装置からの電力を用いた太陽光利用沸上運転を行うことができれば、そのほうが好ましい。上記従来技術においては、このような場合、日照条件が良好であれば、前記ＨＥＭＳ機器の制御により前記太陽光利用沸上運転を行うことができる。
【０００６】
一方、近年、前記ＨＥＭＳ機器が備わっていない貯湯式給湯機においても、前記従来技術と同様の太陽光利用の沸上運転を実行できる手法が提唱されつつある。すなわち、ユーザが天気予報等に基づいて日照条件の良否を自ら判断した後、手動操作により、太陽光利用沸上運転を実行するかしないか、実行するならその運転開始時刻をいつにするか、等を設定するものである。この手法の場合、前記のように予定外の使用で湯水不足が生じる見込みとなっても、（ユーザがそのことに気が付いて日照条件の良い時間帯に太陽光利用沸上運転の実行操作を新たに行わない限りは）そのまま高価な商用電源からの電力で貯湯タンク内の湯水の沸上が行われてしまう、という問題があった。
【課題を解決するための手段】
【０００７】
上記課題を解決するために、本発明の請求項１では、湯水を貯湯する貯湯タンク、前記湯水の加熱を行う加熱手段、所望の表示を行う表示手段、を備え、所定の夜間帯に前記加熱手段が前記貯湯タンク内の湯水を加熱する夜間沸上運転を行う貯湯式給湯機において、前記貯湯タンク内における所定温度以上の湯水の貯湯量を検出する検出手段と、所望日の前記夜間帯を除く昼間帯の第１所定時刻において、前記検出手段により検出された前記貯湯量が、前記第１所定時刻から前記夜間沸上運転の実行開始時刻より前の第２所定時刻までに想定される前記湯水の使用量以上であるか否かを判定する貯湯量判定手段と、前記貯湯量判定手段により前記貯湯量が前記使用量未満であると判定された場合に、前記所望日の前記昼間帯での太陽光発電装置からの電力を用いた太陽光利用沸上運転の実行を推奨する推奨表示を行うように、前記表示手段を制御する推奨表示制御手段と、前記推奨表示制御手段の制御に基づく前記表示手段の前記推奨表示に対応した、沸上操作を受け付ける、沸上操作受付手段と、前記沸上操作受付手段により受け付けた前記沸上操作に応じて、前記所望日の前記昼間帯における前記太陽光利用沸上運転を行うように、前記加熱手段を制御する加熱制御手段と、を有するものである。
【０００８】
また、請求項２では、前記推奨表示制御手段は、前記貯湯量判定手段により前記貯湯量が前記使用量未満であると判定された場合に、前記所望日の前記第１所定時刻以降、前記第２所定時刻より前の前記昼間帯における第３所定時刻までの間、前記推奨表示を行うものである。
【０００９】
また、請求項３では、前記推奨表示制御手段の制御に基づき前記表示手段が前記推奨表示を行っている状態での適宜の操作によって当該推奨表示を消失させするように、前記表示手段を制御する、消失制御手段をさらに有するものである。
【００１０】
また、請求項４では、前記貯湯式給湯機が前記太陽光発電装置に接続されているか否かを判定する接続判定手段をさらに有し、前記推奨表示制御手段は、前記貯湯量判定手段により前記貯湯量が前記使用量未満であると判定され、かつ、前記接続判定手段により前記貯湯式給湯機が前記太陽光発電装置に接続されていると判定された場合に、前記推奨表示を行うものである。
【００１１】
また、請求項５では、前記所望日の前記昼間帯の前記第１所定時刻以降における、前記太陽光利用沸上運転の実行の設定がなされているか否かを判定する実行判定手段をさらに有し、前記推奨表示制御手段は、前記貯湯量判定手段により前記貯湯量が前記使用量未満であると判定され、かつ、前記実行判定手段により前記太陽光利用沸上運転の実行の設定がなされていない判定された場合に、前記推奨表示を行うものである。
【００１２】
また、請求項６では、前記沸上操作受付手段は、前記沸上操作として、予め固定的に定めた所定時間だけ前記貯湯タンク内の湯水を加熱するための第１沸上操作、予め固定的に定めた所定容量の湯水を前記所定温度以上とするための第２沸上操作、及び、前記貯湯タンク内の全湯水を前記所定温度以上とするための第３沸上操作、のうちいずれかを受け付け、前記加熱制御手段は、前記沸上操作受付手段により受け付けた、前記第１〜第３沸上操作のうちいずれかに応じて、前記太陽光利用沸上運転を行うように前記加熱手段を制御するものである。
【発明の効果】
【００１３】
この発明の請求項１によれば、夜間帯（例えば２３：００〜７：００等。電力会社との契約内容による）に加熱制御手段が加熱手段を制御し貯湯タンク内の湯水を加熱する、夜間沸上運転が行われる。この夜間沸上運転において、当該夜間帯以降の昼間帯（例えば７：００〜２３：００等）での使用想定量の湯水を沸き上げることで、夜間帯の商用電源からの安価な電力により低コストで貯湯タンク内に貯湯することができる。
【００１４】
しかしながら、前記のようにして夜間帯に貯湯を行った後、ユーザが予定外に午前中に入浴やシャワー等により大量の湯水を使用する場合があり得る。この場合、そのままだとその後の昼間帯において通常の炊事や夕方の湯張りに使用される湯水が不足することとなるため、当該昼間帯のうちに追加で貯湯タンク内の湯水を沸き上げる必要がある。このとき、昼間帯の商用電源からの電力は高価であることから、太陽光発電装置からの電力を用いた太陽光利用沸上運転を行うことができれば、そのほうが好ましい。
【００１５】
この観点から、請求項１によれば、検出手段と、貯湯量判定手段と、が設けられる。貯湯量判定手段は、昼間帯の所定時刻（第１所定時刻）の時点で、検出手段が検出した貯湯タンク内の貯湯量が、それ以降、前記夜間沸上運転が始まる前の所定時刻（第２所定時刻）までに想定される湯水使用量以上であるか（言い換えれば想定される湯水使用量に対して足りているか）を判定する。そして、前記貯湯量が前記湯水使用量未満である（足りていない）と判断された場合、推奨表示制御手段の制御により、表示手段において、太陽光利用沸上運転の実行を推奨する推奨表示が行われる。これにより、ユーザは、このままだと日没後の高価な昼間帯の商用電源で追加の前記沸上が行われること、それを回避するには太陽光利用沸上運転を実行すればよいこと、を明確に認識することができる。そして、前記推奨表示に対応してユーザが沸上操作を行うと、その操作が沸上操作受付手段で受け付けられた後、前記加熱制御手段によって対応する太陽光利用沸上運転が行われる。
【００１６】
以上のように、請求項１によれば、夜間帯での貯湯の後に予定外に湯水が使用された場合であっても、太陽光利用沸上運転により安価に追加で貯湯タンク内の湯水を沸き上げることができる。この結果、ユーザにとっての利便性を向上することができる。
【００１７】
また、太陽光利用沸上運転を行うための太陽光の照射は、例えば正午近くや午後早めの時間は発電を行うのに十分であったとしても、夕方に近づくほど徐々に小さくなり、ある程度の時刻（例えば１７時等）になると、発電するには不足する状態となる。したがって、その時刻以降はその日の太陽光発電は不可能である。詳細には、前記太陽光利用沸上運転の所要時間を考えれば、前記１７時から当該所要時間分だけ繰り上がった時刻以降は、前記推奨表示を行っても意味がない。そこで請求項２によれば、前記推奨表示制御手段は、昼間帯の所定時刻（第３所定時刻。例えば１５：００）までの間前記推奨表示を行い、それ以降は推奨表示を行わない。これにより、前記のような実質的に意味のない時間帯の推奨表示を確実に回避することができる。
【００１８】
また、請求項３によれば、前記推奨表示を確認したユーザが適宜の操作を行うことで、表示手段における推奨表示を止めることができる。
【００１９】
そもそも貯湯式給湯機が太陽光発電装置に接続されていなければ前記のような太陽光利用沸上運転による低コスト化を図ることはできない。請求項４によれば、接続判定手段により前記貯湯式給湯機が前記太陽光発電装置に接続されているか否かを判定することで、接続されている場合に限り前記推奨表示を行うことができる。
【００２０】
前記のように予定外の湯水使用があった日に太陽光利用沸上運転の実行が既に設定されていれば、その後当該設定に沿って太陽光利用沸上運転が行われ、低コストな追加沸上を行うことができる。請求項５によれば、実行判定手段によりそのような太陽光利用沸上運転の実行設定がなされているか否かを判定することで、設定されていない場合に限り前記推奨表示を行うことができる。
【００２１】
請求項６によれば、前記推奨表示を確認したユーザの沸上操作により、第１沸上操作に基づく定時間沸上、第２沸上操作に基づく定量沸上、第３沸上操作に基づくタンク全量沸上、のいずれかを確実に行うことができる。
【図面の簡単な説明】
【００２２】
【図１】本発明の一実施形態に係わる貯湯式給湯システムのシステム構成図
【図２】天気が雨又は曇り等と予測された場合の、太陽光発電による発電電力量、及び、電気負荷機器における消費電力量、の経時挙動を概念的に表すグラフ図
【図３】天気が晴れと予測された場合の、太陽光発電による発電電力量、及び、電気負荷機器における消費電力量、の経時挙動を概念的に表すグラフ図
【図４】制御装置の機能的構成を表す機能ブロック図
【図５】リモコン装置の詳細構成を表す外観図
【図６】リモコン装置の画面表示部に備えられる設定画面の表示例を表す図
【図７】リモコン装置の画面表示部に備えられる設定画面の表示例を表す図
【図８】リモコン装置の画面表示部に備えられる設定画面の表示例を表す図
【図９】リモコン装置の画面表示部に備えられる設定画面の表示例を表す図
【図１０】リモコン装置の画面表示部に備えられる設定画面の表示例を表す図
【図１１】リモコン装置の画面表示部に備えられる設定画面の表示例を表す図
【図１２】リモコン装置の設定画面に備えられる日付表示部における日付表示、太陽光利用沸上運転の実行・不実行を設定する日付設定の可否、日付設定のキャンセルの可否、太陽光利用沸上運転の開始時刻の設定変更の可否、の移り変わりの例を説明するタイムテーブル図
【図１３】リモコン装置の設定画面に備えられる日付表示部における日付表示、太陽光利用沸上運転の実行・不実行を設定する日付設定の可否、日付設定のキャンセルの可否、太陽光利用沸上運転の開始時刻の設定変更の可否、の移り変わりの別の例を説明するタイムテーブル図
【図１４】リモコン装置の画面表示部に備えられる待機画面の表示例を表す図
【図１５】リモコン装置の画面表示部に備えられる待機画面の表示例を表す図
【図１６】翌日の天気が雨又は曇り等と予測された場合の、夜間帯における商用電源からの電力による夜間沸上運転、及び、昼間帯における商用電源からの電力による追加沸上運転、の経時挙動を概念的に表すグラフ図
【図１７】翌日の天気が晴れと予測された場合の、夜間帯における商用電源からの電力による夜間沸上運転、及び、昼間帯における太陽光発電の電力による追加沸上運転、の経時挙動を概念的に表すグラフ図
【図１８】リモコン装置の画面表示部に備えられる待機画面の表示例を表す図
【図１９】リモコン装置の画面表示部に備えられる待機画面の表示例を表す図
【図２０】リモコン装置の待機画面において表示される余剰沸上予告マーク、日付表示部、時刻表示部、メッセージ表示、及び、ポップアップ推奨表示の移り変わりを表すタイムテーブル図
【図２１】制御装置が実行する制御手順の前半部分を表すフローチャート図
【図２２】制御装置が実行する制御手順の後半部分を表すフローチャート図
【図２３】ステップＳ２００、及び、ステップＳ３００の詳細手順を表すフローチャート図
【図２４】ステップＳ３００の詳細手順を表すフローチャート図
【発明を実施するための形態】
【００２３】
次に、本発明の一実施の形態を図１〜図２４に基づいて説明する。
【００２４】
＜システム構成概略＞
本実施形態の貯湯式給湯機を備えた給湯システムのシステム構成を図１に示す。なお、図１においては、図示の煩雑防止のために、後述する信号授受のうち一部は図示省略している。図１において、本実施形態の給湯システム１００は、図示しない家屋等の建造物（特定の電力消費設備）に設置されたヒートポンプ式の貯湯式給湯機１と、商用電源４９に接続された分電盤２と、前記家屋の屋根等に設置された太陽光発電パネル４、及び、太陽光発電パネル４の発電電力を交流電源に変換するインバータ５を備えた太陽光発電装置３と、前記貯湯式給湯機１以外の他の負荷を構成する、例えばエアコン等からなる電気負荷機器６（図１中では単に「エアコン」と図示）と、ネットワーク通信網８と、サーバ９とを有している。なお、前記ネットワーク通信網８及びサーバ９は省略されていても良い。その場合、後述のリモコン装置５０におけるネットワーク表示部６５の表示も省略される（後述の図５等参照）。
【００２５】
前記貯湯式給湯機１は、リモコン装置５０と、湯水を貯湯する貯湯タンク１０と、前記貯湯タンク１０の底部に給水する給水管１１と、前記貯湯タンク１０の頂部から出湯する出湯管１２と、前記給水管１１から分岐した給水バイパス管１３と、前記出湯管１２からの湯と前記給水バイパス管１３からの水を、前記リモコン装置５０によって設定された給湯設定温度になるように混合する混合弁１４と、図示しない給湯栓や浴槽や給湯端末に給湯する給湯管１５と、給湯流量を検出し対応する検出信号を出力する給湯流量センサ１６と、給湯温度を検出し対応する検出信号を出力する給湯温度センサ１７と、前記貯湯タンク１０内の湯水の貯湯温度を検出し対応する検出信号を出力する貯湯温度センサ１８（検出手段に相当）とを有している。前記貯湯温度センサ１８は、貯湯タンク１０の側面に高さ位置を変えて複数個設けられている。これら複数の貯湯温度センサ１８のそれぞれは、例えば、十分に加熱された状態の湯の温度に対応して予め設定された、所定のしきい値以上の湯水温度を検出したとき、対応する検出信号を制御装置３１へ出力するように構成されている。これにより、前記複数の貯湯温度センサ１８のうち何個のセンサから前記検出信号が出力されているかに基づき、前記制御装置３１は、前記貯湯タンク１０内において十分に加熱された状態となっている（予め定められた所定温度以上となっている）湯の量、すなわち貯湯量を検出することができる。
【００２６】
また、前記貯湯式給湯機１はさらに、前記貯湯タンク１０内の湯水を沸上目標温度に加熱するヒートポンプ装置１９（加熱手段に相当）を有している。このヒートポンプ装置１９は、冷媒を高温高圧に圧縮搬送する圧縮機２０と、前記高温の高圧の冷媒と前記貯湯タンク１０からの水との熱交換を行う水冷媒熱交換器２１と、前記水冷媒熱交換器２１で熱交換後の冷媒を減圧膨張させる膨張弁２２と、外気と低圧冷媒との熱交換を行い低圧冷媒を蒸発させる空気熱交換器２３と、前記空気熱交換器２３へ外気を送風する送風機２４と、前記圧縮機２０から吐出される前記冷媒の温度を検出し対応する検出信号を前記制御装置３１へ出力する吐出温度センサ２５と、外気温度を検出し対応する検出信号を前記制御装置３１へ出力する外気温度センサ３０と、を備えている。
【００２７】
また、前記貯湯式給湯機１はさらに、貯湯式給湯機１全体の作動を制御する前記制御装置３１と、前記貯湯タンク１０の下部と前記水冷媒熱交換器２１の水側入口とを接続する加熱往き管２６と、水冷媒熱交換器２１の水側出口と前記貯湯タンク１０の上部とを接続する加熱戻り管２７と、前記加熱往き管２６の途中に設けられた加熱循環ポンプ２８と、前記加熱戻り管２７に設けられ検出信号を前記制御装置３１へ出力する沸上温度センサ２９とを有している。なお、前記の加熱往き管２６、加熱戻り管２７、及び加熱循環ポンプ２８により加熱循環回路が構成されている（以下適宜、単に「加熱循環回路２６，２７，２８」という）。
【００２８】
＜太陽光利用沸上運転＞
上記構成の給湯システム１００において、日照条件が良好な場合には、前記太陽光発電装置３は、前記太陽光発電パネル４で太陽光を受光して発電を行うことができる。そして、前記貯湯式給湯機１は、ユーザの手動による各種の設定に従って（詳細は後述）、この太陽光発電装置３で発電された電力を用いて、前記ヒートポンプ装置１９が加熱循環回路２６，２７，２８を介し貯湯タンク１０内の湯水を加熱する沸上運転を行うことができる。逆に、日照条件があまり良好でない場合、前記太陽光発電装置３は太陽光の受光による十分な発電を行うことができないため、前記貯湯式給湯機１は前記商用電源４９から供給される電力を用いて、前記沸上運転を行う。
【００２９】
前記のような太陽光発電による電力を用いた沸上運転を行うためには、少なくとも発電電力値がある程度大きい（詳細には、貯湯式給湯機１に供給される電力値、すなわち、発電電力値から貯湯式給湯機１を除く前記電気負荷機器６の消費する負荷使用電力値を差し引いた余剰電力値がある程度大きい。後述）必要がある。このことを、図２及び図３により説明する。
【００３０】
＜電力挙動の一例＞
図２は、横軸に「０：００」，「１：００」，・・，「２３：００」，「２４：００」のように時刻が刻まれる時間軸を、かつ、縦軸に電力量［ｋＷｈ］を取ったときの、前記太陽光発電装置３における発電電力量、前記電気負荷機器６の消費する前記負荷使用電力、及び、貯湯式給湯機１の単位時間ごとの消費電力を表す装置使用電力、の挙動の一例を概念的にそれぞれ表したグラフである。
【００３１】
図２に示すように、この例は、天気が雨又は曇り等で日照条件があまりよくない場合の例である。この場合、図中の実線による折れ線グラフで示すように、前記太陽光発電装置３における発電電力量は、０：００〜８：００までほぼ０［ｋＷｈ］で推移し、日の出に伴ってわずかに上昇するが、９：００で０．１［ｋＷｈ］、１０：００では０．３［ｋＷｈ］、１１：００で０．５［ｋＷｈ］、１２：００での０．６［ｋＷｈ］を経た後の１３：００におけるピークでも０．７［ｋＷｈ］程度に留まる。その後は、太陽光発電装置３における発電電力量は、１４：００で０．６［ｋＷｈ］、１５：００で０．５［ｋＷｈ］、１６：００では０．３［ｋＷｈ］、１７：００で０．１［ｋＷｈ］となり、１８：００以降はそのまま２４：００までほぼ０［ｋＷｈ］となる。
【００３２】
一方、図中の灰色の棒グラフで示すように、前記電気負荷機器６における負荷使用電力は、０：００〜２４：００の間、終日、０．５［ｋＷｈ］が生じている。この結果、「太陽光発電装置３における発電電力量」−「電気負荷機器６における負荷使用電力量」で表される余剰電力の値は、図２に示すように、１２：００〜１４：００までの間でわずかに生じる程度であり、その最大値も０．２［ｋＷｈ］程度に留まる。以上のような余剰電力の時間変動に対し、前記貯湯式給湯機１が運転されるときの上記装置使用電力は、この例では単位時間あたり１［ｋＷｈ］となっている。このような場合、ユーザは、例えば翌日１日間の天気予報・気象情報等の公知の情報源によって上記の挙動を認識できた場合には、前記余剰電力による前記貯湯式給湯機１の前記沸上運転は不可能であると判断することができる。図２中は、ユーザがそのように判断した結果、前記貯湯式給湯機１は、太陽光発電による電力を用いず上記商用電源４９からの給電により、通常通り、電力料金単価が安価な夜間帯（この例では２３：００〜７：００）のうちの適宜の時間帯（この例では３：００〜７：００）において沸上運転（夜間沸上運転）が実行されるように設定された場合を示している（黒色棒グラフ参照）。
【００３３】
＜電力挙動の他の例＞
一方、天気が晴れである（その結果、前記太陽光発電による発電が可能である）場合の例を図３に示す。この場合、図中の実線による折れ線グラフで示すように、太陽光発電装置３における発電電力量は、０：００〜６：００までほぼ０［ｋＷｈ］で推移するが、日の出（６：００〜７：００の間）とともに徐々に上昇し、７：００では０．２［ｋＷｈ］、８：００では１．０［ｋＷｈ］、８：３０で１．５［ｋＷｈ］、となり、その後９：００で１．８［ｋＷｈ］、１０：００では２．５［ｋＷｈ］、１１：００での３．２［ｋＷｈ］を経て、１２：００における３．３［ｋＷｈ］でピークを迎える。その後は、太陽光発電装置３における発電電力量は、日の陰りとともに徐々に減少し、１３：００では３．２［ｋＷｈ］、１４：００では２．５［ｋＷｈ］となり、その後１５：００で１．８［ｋＷｈ］、１５：３０で１．５［ｋＷｈ］、１６：００では１．０［ｋＷｈ］、１７：００での０．２［ｋＷｈ］を経て、日の入り（１７：００〜１８：００の間）により１８：００以降はそのまま２４：００までほぼ０［ｋＷｈ］となる。
【００３４】
このとき、前記したように、前記電気負荷機器６における負荷使用電力は終日０．５［ｋＷｈ］である。この結果、前記余剰電力の値は、図３に示すように、８：００で初めて０．５［ｋＷｈ］が生じ、８：３０で１．０［ｋＷｈ］、９：００で１．３［ｋＷｈ］、１０：００で２．０［ｋＷｈ］、１１：００での２．７［ｋＷｈ］を経て、１２：００における２．８［ｋＷｈ］で最大となる。その後、徐々に減少し、１３：００では２．７［ｋＷｈ］、１４：００では２．０［ｋＷｈ］、１５：００で１．３［ｋＷｈ］、１５：３０で１．０［ｋＷｈ］、１６：００で０．５［ｋＷｈ］となる。
【００３５】
以上のような余剰電力の時間変動に対し、前記したように前記貯湯式給湯機１が運転されるときの上記装置使用電力は、単位時間あたり１［ｋＷｈ］となっている。この結果、ユーザは、上記挙動を認識できた場合には、例えば「余剰電力」≧「貯湯式給湯機１の装置使用電力」となる、８：３０〜１５：３０までの時間帯（以下適宜、「沸上可能時間帯」と称する）において、前記余剰電力により前記貯湯式給湯機１を運転可能であると判断することができる。図３中には、ユーザがそのように判断した結果、前記貯湯式給湯機１の前記沸上運転（余剰沸上運転、太陽光利用沸上運転）が、前記沸上可能時間帯のうちの１１：００〜１３：００（以下適宜、「沸上時間帯」という）の２時間で実行されるように設定（詳細は後述）された場合を示している（黒色棒グラフ参照）。なお、この設定の結果、前記図２において夜間帯において４時間（３：００〜７：００）行われていた前記夜間沸上運転は、前記２時間に相当する分が短縮され、５：００〜７：００の間のみ実行されるように設定されている。言い換えれば、この例では、翌日の太陽光利用沸上運転で２時間分の貯湯量が見込まれる分、その前の夜間帯の夜間沸上運転での貯湯量を当該２時間分だけ減らすように設定されている。なお、この例のように大きな前記余剰電力が生じる見込みで夕方以降に消費される多大な湯水を前記太陽光利用沸上運転により貯湯できる場合であっても、その日の午前中において使用されるであろう分の湯水を貯湯タンク１０内に確実に貯湯しておくために、通常は、前記図３に示すように、太陽光利用沸上運転に先立つ前記夜間沸上運転がある程度の時間は行われるよう、設定される。
【００３６】
＜機能的構成＞
前記のような太陽光利用沸上運転を円滑に行うために、本実施形態においては、前記制御装置３１に、図４に示す各機能部が設けられている。すなわち、図４に示すように、前記制御装置３１には、余剰沸上実行部３３Ａと、余剰沸上設定部３３Ｃと、余剰沸上制御部４０と、余剰沸上容量決定部３７と、使用湯量学習部３４と、必要熱量決定部３５と、夜間沸上容量算出部３６と、補正夜間沸上容量算出部３８と、夜間沸上制御部３９と、昼間沸増制御部４２とが設けられている。これら各機能部の詳細については、後ほど順を追って詳細に説明する。
【００３７】
また制御装置３１には、表示制御部３３Ｂが備えられている。ユーザは、例えばサーバ９から取得されて表示制御部３３Ｂの制御によりリモコン装置５０において表示される、公知の気象情報（例えば天気予報情報や日照時間情報等。以下適宜、単に「気象情報」という）、あるいは、この給湯システム外のスマートフォン・テレビ等の情報端末（不図示）において表示される公知の気象情報を確認する。そしてその気象情報に基づき、対象となる特定の期日（ある１日の間だけでもよいし、連続する又はバラバラの複数の日数の間でもよい）にて、太陽光発電による電力を用いた沸上運転（以下適宜、「太陽光利用沸上運転」という）を行えるか否か、を判断する。なお、以下、この実施形態では、連続する複数日数（以下適宜、連続期間という）について前記太陽光利用沸上運転を行うか否かをユーザが判断する場合を例にとって説明する。なお、この連続期間は、例えば後述の図２１〜図２４に示すフローによる制御手順が実行開始される日の次の日と、さらにその次の日を含む複数日間であり、この例では前記次の日とその次の日との合計２日間である。
【００３８】
すなわち、ユーザは、例えば、前記気象情報に基づいて前記発電電力量の挙動を自ら推定するともに、その推定した発電電力量に対して前記負荷使用電力がどのような大小関係となり、その結果前記余剰電力の時間変動がどのようになるかを自ら推定する。そして、ユーザは、さらに、その推定した余剰電力量に対して前記装置使用電力がどのような大小関係となるかを推定し、余剰電力量が装置使用電力に対し十分大きければ前記太陽光利用沸上運転を行えると判断し、そうでなければ前記太陽光利用沸上運転を行えないと判断し、前記リモコン装置５０を用いて手動にて対応する各種設定を行う（詳細は後述）。なお、このような判断を順次行うか否かはユーザ次第であり、例えば前記気象情報により晴天であるか、最高温度が何度であるか、等のみに基づいてユーザの経験や勘によって前記各種設定を行う場合もあり得る。
【００３９】
＜リモコン装置＞
前記リモコン装置５０の詳細構成を図５に示す。図５において、リモコン装置５０は、画面表示部６０（表示手段に相当）と、前記貯湯タンク１０から前記給湯管１５を介した浴槽内への湯張りや湯張り後の湯の保温等を自動的に行うための「ふろ自動」スイッチ７１と、浴室内との通話を行うための「通話」スイッチ７２と、スピーカ７３と、前記給湯温度等の各種数値の＋側−側の操作設定や前記画面表示部６０内のカーソルの上向き・左向き・下向き・横向き移動操作を行うための十字キー７４と、「メニュー／決定」スイッチ７５と、手動操作により前記沸上運転を行って貯湯タンク１０内の前記貯湯量を所定量だけ増大させるための「タンク湯増し」スイッチ７６と、貯湯タンク１０内の前記貯湯量が予め定められた前記しきい値以下に減少したときに前記昼間沸増容量を沸き上げる前記自動湯増し機能を、手動操作により（操作当日のみ）休止させる、「湯増し休止」スイッチ７７と、予め用意された「節約（ｅｃｏ）運転」等の複数の運転態様（詳細な説明は省略）の説明を含む各種ガイドを前記画面表示部６０に表示させるための「ｅｃｏガイド」スイッチ７８と、前記画面表示部６０に表示される表示画面を１つ前の表示画面に戻すための「戻る」スイッチ７９と、を有している。
【００４０】
画面表示部６０は、それぞれが所定の内容を表示する複数の表示画面を、切り替え可能に構成されている。図示の画面６０Ａは待機状態のときに表示されるものである（以下適宜、単に「待機画面６０Ａ」と称する）。この待機画面６０Ａでは、現在の日付及び時刻（この例では５月３１日金曜日の２２時３０分）を表示する日時表示部６１と、前記浴槽内の湯の設定温度（この例では４０℃）を表示するふろ温度表示部６２と、前記給湯設定温度（この例では４０℃）を表示する給湯温度表示部６３と、前記貯湯タンク１０内の前記貯湯量を表示する貯湯量表示部６４と、前記ネットワーク通信網８を介して前記サーバ９と接続されていることを表すネットワーク表示部６５と、前記複数の運転態様のうちいずれになっているか（この例では「おまかせ省エネ」運転。詳細は後述）を表す運転態様表示部６６と、を有している。
【００４１】
前記貯湯量表示部６４は、前記表示制御部３３Ｂの制御により、前記貯湯温度センサ１８の検出結果に対応して前記貯湯タンク１０内の前記貯湯量を表示する。図示の例では、前記貯湯量表示部６４は、５つの表示エレメント６４Ａ〜６４Ｅによって５段階に前記貯湯量を表示可能となっている。すなわち、前記貯湯タンク１０内のほぼ全てが前記十分に加熱された状態の湯となっている（前記貯湯量が満タンである）場合は、すべての前記表示エレメント６４Ａ，６４Ｂ，６４Ｃ，６４Ｄ，６４Ｅが点灯表示される。逆に、前記貯湯タンク１０内の前記貯湯量がほぼ空である場合は、すべての前記表示エレメント６４Ａ，６４Ｂ，６４Ｃ，６４Ｄ，６４Ｅが消灯され、この状態から前記貯湯量が徐々に増大するにつれて、下段の前記表示エレメント６４Ａから、表示エレメント６４Ｂ、表示エレメント６４Ｃ、表示エレメント６４Ｄ、表示エレメント６４Ｅの順で追加して点灯表示される。図示の例は、前記貯湯量が貯湯タンク１０内の全容量のうち１／５程度である状態を示しており、前記表示エレメント６４Ａ〜６４Ｅのうち最下段の表示エレメント６４Ａのみが点灯表示されるとともに、残りの４つの表示エレメント６４Ｂ，６４Ｃ，６４Ｄ，６４Ｅは消灯されている（図中では明確化のために破線にて表現している）。
【００４２】
ここで、図５に示す例では、家事や入浴時等の湯水の使用によって（前記日時表示部６１の２２時３０分の時刻表示参照）、貯湯タンク１０内の貯湯量が満タンの１／５程度にまで減少（前記貯湯量表示部６４の最下段の表示エレメント６４Ａのみが点灯）した場合を示している。
【００４３】
＜本実施形態の特徴１〜リモコン装置の設定画面＞
本実施形態では、通常、電力料金単価が安価な夜間帯（この例では２３：００〜７：００。電力会社との契約による）に、前記商用電源４９から供給される電力を用いて沸上運転（夜間沸上運転）を行う（前記図２参照）。また、日照条件が良好な場合には、前記夜間帯以外の昼間帯（この例では７：００〜２３：００）において前記太陽光発電装置３で発電された電力を用いて沸上運転（太陽光利用沸上運転）を行うこともできる（前記図３参照）。そして、本実施形態の特徴の１つは、前記太陽光利用沸上運転を行うための、前記リモコン装置５０での設定及び表示の態様にある。以下、その詳細を順を追って説明する。
【００４４】
図５を用いて前述したように、リモコン装置５０の画面表示部６０は、常には前記待機状態にあって、前記待機画面６０Ａが表示されている。この状態から前記「メニュー／決定」スイッチ７５が操作されることで、前記画面表示部６０の表示が図示しないメインメニュー画面へ移行し、さらに「メニュー／決定」スイッチ７５等の適宜の操作が行われることで、図６（ａ）に示す設定画面６０Ｂへ移行する。
【００４５】
この設定画面６０Ｂでは、貯湯式給湯機１における複数の運転モード（この例では通常の「運転モード」と「ソーラーモード」）を選択可能に表示する運転モード表示部１６１と、メッセージ表示部１６２と、を有している。
【００４６】
運転モード表示部１６１に表示される前記「ソーラーモード」は、前記太陽光利用沸上運転を行うためのモードであり、前記のように日照条件が良好である場合にユーザがこのモードを選択することで、太陽光発電装置３で発電された電力を用いて貯湯タンク１０内の湯水を加熱することができる。前記「運転モード」は、前記必要熱量を必要最小限にする「おまかせ省エネ」モードや、前記必要熱量を「おまかせ省エネ」モードに比べて多めにする「おまかせ」モードのいずれか選択して設定することができる。メッセージ表示部１６２には、「運転モード」におけるこのような２つのモードの違いに対応して、「使用するお湯の量に合わせて、運転モードが変更できます。」のメッセージが表示されている。
【００４７】
この図６（ａ）に示す状態から、前記ソーラーモードを選択するために、ユーザが前記十字キー７４を下向きに操作し画面内のカーソルＫを下方へ１段移動させた状態を図６（ｂ）に示す。図６（ｂ）に示すように、この設定画面６０Ｃでは、前記操作に対応して運転モード表示部１６１において前記カーソルＫが「ソーラーモード」の位置に移動している。そして、これに対応して、メッセージ表示部１６２には、「ソーラーモードの設定を行います。夜間帯開始前に設定を行ってください。」のメッセージが表示されている。
【００４８】
この図６（ｂ）に示す状態から、ユーザが前記「メニュー／決定」スイッチ７５による決定操作を行った状態を図７（ａ）に示す。図７（ａ）に示すように、この設定画面６０Ｄでは、前記太陽光利用沸上運転の実行・不実行を設定可能な日付を表示する日付表示部１６３と、設定内容表示部１６４と、を有している。
【００４９】
日付表示部１６３には、所定の表示日を含み複数日数分（この例では２日分）の日付（＝日付表記）が表示される。リモコン装置５０に対する前記した操作が行われている操作日において、操作したタイミングが１７：００よりも前であれば前記表示日は当該操作日となり、１７：００以降であれば前記表示日は当該操作日の次の日となる（後述の図１２（ａ）も参照）。図７（ａ）では、リモコン装置５０が９月１４日の１７：００以降に操作されている場合を表しており、日付表示部１６３には、その操作日である９月１４日の次の日（この場合の表示日に相当）である９月１５日（土曜日）と、さらにその次の日である９月１６日（日曜日）と、の２日分の日付が表示されている。このとき、前記１７：００は、太陽光発電装置３での発電が十分な状態が維持できる限界とみなせる時間（言い換えれば発電が十分な状態から不足状態に陥ると想定される時間）の一例である。この例では、それら２日間のうち９月１５日のほうにカーソルＫが位置している（９月１５日が選択されている）状態である。なお、図示を省略するが、９月１４日のうち１７：００より前の時刻では、日付表示部１６３には、その操作日である９月１４日（金曜日。この場合の表示日に相当）と、その次の日である９月１５日（土曜日）と、の２日分の日付が表示されることとなる（後述の図１２（ａ）参照）。
【００５０】
設定内容表示部１６４には、前記太陽光利用沸上運転を実行可能なソーラーモードであることを表す「ソーラーモード」表記と、カーソルＫが位置している期日について前記太陽光利用沸上運転の実行・不実行のいずれかが設定されていることを表す「する」表記（実行が設定されている場合）若しくは「しない」表記（不実行が設定されている場合）と、前記太陽光利用沸上運転の実行時にその運転開始時刻を表す「開始」表記と、その開始時刻の表記（設定されている場合）若しくは「−」表記（設定されていない場合）と、等が表示される。図示の例では、前記太陽光利用沸上運転の不実行の設定に対応し、前記「ソーラーモード」及び前記「開始」表記のほかには、前記「しない」表記と前記「−」表記とが表示されている。
【００５１】
本実施形態では、後述のステップＳ４０においても説明するように、日付表示部１６３に表示される日付それぞれについて、前記太陽光利用沸上運転（言い換えればソーラーモードによる運転。以下同様）の実行・不実行を個別に設定することができる。９月１５日における設定を行うために、図７（ａ）に示すカーソルＫの状態でユーザが前記「メニュー／決定」スイッチ７５により決定操作を行った状態を、図７（ｂ）に示す。図７（ｂ）に示すように、この設定画面６０Ｅでは、「９／１５（土）の動作を設定します」のメッセージが表示されるメッセージ表示部１６５と、図７（ａ）の前記設定内容表示部１６４に対応する設定内容表示部１６６と、を有している。設定内容表示部１６６では、前記同様の、「ソーラーモード」表記と、「する」表記及び「しない」表記と、「開始」表記及び「−」表記と、等が表示されている。なお、この状態では、前記カーソルＫが、前記「する」表記及び前記「しない」表記のうち「しない」表記に位置し、前記太陽光利用沸上運転を行わない（すなわち不実行の）選択となっている。
【００５２】
この図７（ｂ）に示す状態から、前記太陽光利用沸上運転の実行を選択するために、ユーザが前記十字キー７４を上向きに１回操作し画面内のカーソルＫを上方へ移動させた状態を図８（ａ）に示す。図８（ａ）に示すように、この設定画面６０Ｆにおいて、前記操作に対応し、カーソルＫが、前記太陽光利用沸上運転の実行を表す「する」表記に移動している。
【００５３】
この図８（ａ）に示す状態から、前記太陽光利用沸上運転の開始時間を設定するために、ユーザが前記十字キー７４を右向きに１回操作し画面内のカーソルＫを右方へ移動させた状態を図８（ｂ）に示す。図８（ｂ）に示すように、この設定画面６０Ｇにおいて、前記操作に対応し、カーソルＫが、前記「開始」表記に位置している。
【００５４】
この図８（ｂ）に示す状態から、ユーザが前記「メニュー／決定」スイッチ７５による決定操作を行った状態を図９（ａ）に示す。図９（ａ）に示すように、この設定画面６０Ｈでは、前記開始時刻として設定可能な開始時刻候補が一覧表示される。具体的には、前記夜間帯の終了時刻（前述の例では７：００）以降の所定時刻（この例では例えば７：００。図示省略）から、その後の別の所定時刻（この例では図示の１５：００）までの時間範囲において、複数の開始時刻候補「７時」「８時」「９時」「１０時」「１１時」「１２時」「１３時」「１４時」「１５時」が表示される（一部不図示）。なお、図示のように設定画面６０Ｈに被さるようなポップアップ形式や割り込みウィンドウ形式で各開始時刻候補を一覧表示する手法でなく、もとの設定画面６０Ｈの表示（例えば図８（ｂ）参照）のまま前記十字キー７４を上下に操作することで、画面内に前記「−」表記に代えて前記開始時刻候補「７時」「８時」「９時」「１０時」「１１時」「１２時」「１３時」「１４時」「１５時」が１つずつずれて順次表示されるようにしてもよい。なお、前記別の所定時刻は、前記１７：００よりも早い時刻に予め設定されており、この例では特に、前記１７：００との時間偏差が、前記太陽光利用沸上運転に要する所要時間以上となるように、設定されている。本実施形態では、前述したように前記太陽光利用沸上運転において沸き上げる前記余剰沸上容量が１００Ｌに固定されており、この容量の沸き上げに要する時間が約２時間であると見込まれることから、前記時間偏差を２時間として、前記別の所定時刻は、前記１７：００よりも２時間前の１５：００に設定されている。なお、前記設定画面６０Ｈにおいて、予め適宜に定められた開始時刻候補（例えば「１２：００」）をデフォルトで選択された状態として表示してもよい。あるいは、前回設定時の開始時刻をデフォルトで選択された状態として表示するようにしてもよい。
【００５５】
この図９（ａ）に示す状態から、ユーザが前記十字キー７４及び前記「メニュー／決定」スイッチ７５の操作により、前記開始時刻を１１時に設定（選択）した状態を図９（ｂ）に示す。図９（ｂ）に示すように、この設定画面６０Ｉでは、前記設定内容表示部１６６において、これまでの前記操作に対応して、前述の「ソーラーモード」表記、「する」表記、及び「開始」表記と、（前記「−」表記に代わる）前記太陽光利用沸上運転が１１：００に開始されることを表す「１１時」表記と、が表示される。
【００５６】
この図９（ｂ）に示す状態で、ユーザが前記「メニュー／決定」スイッチ７５の操作を行うと、前記画面表示部６０の表示は、前記図７（ａ）に示した設定画面６０Ｄに戻る（但し前記「しない」表記に代えて「する」表記が表示されると共に、前記「−」表記に代えて「１１時」表記が表示される。図示省略）。この操作時に、前記スピーカ７３により、「設定されました」あるいは「９月１５日の設定が完了しました」等の音声を発声するようにしてもよい。
【００５７】
なお、以上の操作に対応した、９月１５日において太陽光利用沸上運転を実行する旨の設定、及び、その開始時刻を１１：００とする設定は、前記余剰沸上実行部３３Ａ及び前記余剰沸上設定部３３Ｃにより受け付けられ、その後の制御に反映される（後述のステップＳ４０やステップＳ４２参照）。
【００５８】
前記設定画面６０Ｄが表示された状態において、ユーザは、前記した９月１５日の設定と同様の手法で、９月１６日における各種設定を行うことができる。すなわち、ユーザが前記十字キー７４を下向きに１回操作し画面内のカーソルＫを下方へ移動させると、図１０（ａ）に示すように、前記同様の日付表示部１６３及び設定内容表示部１６４を備えた設定画面６０Ｊが前記画面表示部６０に表示される。
【００５９】
この状態でユーザが前記「メニュー／決定」スイッチ７５を操作すると、図１０（ｂ）に示すように、前記同様の「９／１６（日）の動作を設定します」のメッセージが表示されるメッセージ表示部１６５と設定内容表示部１６６とを備えた設定画面６０Ｋが表示される。その後、前記同様にユーザが前記十字キー７４を上向きに１回操作することで図１１（ａ）の設定画面６０Ｌに示すようにカーソルＫが「する」表記に移動し、さらに前記十字キー７４でカーソルＫを右方へ移動させて前記「メニュー／決定」スイッチ７５で決定操作し、前記同様の開始時刻候補の一覧表示（図示省略）の中から開始時刻を設定（選択）した状態を図１１（ｂ）に示す。
【００６０】
図１１（ｂ）に示すように、この設定画面６０Ｍでは、前記設定内容表示部１６６において、これまでの操作に対応して、前述の「ソーラーモード」表記、「する」表記、及び「開始」表記と、前記太陽光利用沸上運転の開始時刻を表す表記（この例では開始時刻１４：００に対応した「１４時」表記）と、が表示されている。前記同様、この図１１（ｂ）に示す状態で前記「メニュー／決定」スイッチ７５の操作が行われることで、前記画面表示部６０の表示は、前記図７（ａ）に示した設定画面６０Ｄに戻る。この操作時にも、前記同様、前記スピーカ７３により、「設定されました」あるいは「９月１６日の設定が完了しました」等の音声を発声するようにしてもよい。
【００６１】
なお、前記同様、以上の操作に対応した、９月１６日において太陽光利用沸上運転を実行する旨の設定、及び、その開始時刻を１４：００とする設定は前記余剰沸上実行部３３Ａ及び前記余剰沸上設定部３３Ｃにより受け付けられ、その後の制御に反映される（後述のステップＳ４０やステップＳ４２参照）。
【００６２】
また、以上説明した図５及び図６〜図１１に示した画面表示部６０の画面遷移（言い換えれば各設定画面の表示）は、前記表示制御部３３Ｂによる制御によって行われる。
【００６３】
＜各種処理を表すタイムテーブル＞
リモコン装置５０の画面表示部６０に表示される前記設定画面６０Ｂ〜６０Ｍにおいて説明した、前記した日付表示部１６３において表示される複数日数分（この例では２日分）の日付表記の一例を、図１２に示すタイムテーブルのうち図１２（ａ）に示す。
【００６４】
＜日付表示＞
前述したように、日付表示部１６３には、所定の表示日を含み複数日数分の日付が表示され、リモコン装置５０の操作したタイミングが１７：００よりも前であれば前記表示日がその操作日となる一方、１７：００以降であれば前記表示日は当該操作日の次の日となる。したがって、図１２（ａ）に一例として示すように、９月１４日（金曜日）のうち１７：００より前は日付表示部１６３には「９／１４」「９／１５」の両日が表示される。そして、９月１４日（金曜日）のうち１７：００以降になると日付表示部１６３には「９／１５」「９／１６」の両日が表示されるようになり、９月１５日（土曜日）の１７：００より前まで、この表示内容となる。その後、９月１５日（土曜日）のうち１７：００以降になると同様に日付表示部１６３には「９／１６」「９／１７」の両日が表示されるようになり、９月１６日（日曜日）の１７：００より前まで、この表示内容となる。さらにその後、９月１６日（日曜日）のうち１７：００以降になると同様に日付表示部１６３には「９／１７」「９／１８」の両日が表示されるようになり、以降、同様の表示態様が繰り返される。
【００６５】
＜各日付の設定可否＞
一方、上記図１２（ａ）に示す前記日付表示部１６３での日付表示に対応し、当該日付表示にカーソルＫが位置する状態で「メニュー／決定」スイッチ７５を操作して行う、当該日付における前記太陽光利用沸上運転（ソーラーモードによる運転）の実行・不実行の設定（前記「する」「しない」の選択）の可否の一例を、図１２に示すタイムテーブルのうち図１２（ｂ）に示す。
【００６６】
図１２（ａ）を用いて前記したように、９月１４日（金曜日）のうち１７：００より前は、日付表示部１６３には「９／１４」「９／１５」の両日が表示される。しかしながら、その際、日付表示部１６３に表示される前記両日のうち、操作日当日である「９／１４」については、前記実行・不実行の設定（カーソルＫが位置する状態での「メニュー／決定」スイッチ７５の決定操作）を行うことはできない（＝言い換えれば余剰沸上実行部３３Ａにより受け付けられない。以下同様）。操作日の次の日である「９／１５」については、前記したように実行・不実行の設定（カーソルＫが位置する状態での「メニュー／決定」スイッチ７５の決定操作）を行うことができる。
【００６７】
また、前記したように、９月１４日（金曜日）のうち１７：００以降は、日付表示部１６３には前記操作日の次の日「９／１５」とその次の日「９／１６」の両日が表示される。そして、１７：００以降で、かつ、（夜間帯の開始時刻である）２３：００より前までは、日付表示部１６３に表示される前記両日について、前記したように実行・不実行の設定（カーソルＫが位置する状態での「メニュー／決定」スイッチ７５の決定操作）を行うことができる。しかしながら、９月１４日（金曜日）のうち２３：００以降となると、次の日である「９／１５」について、前記実行・不実行の設定（カーソルＫが位置する状態での「メニュー／決定」スイッチ７５の決定操作）を行うことはできなくなる。
【００６８】
その後、日付が変わり９月１５日（土曜日）となると、前記したように１７：００より前までは、引き続き、日付表示部１６３には「９／１５」「９／１６」の両日が表示され、当日である「９／１５」について前記実行・不実行の設定（カーソルＫが位置する状態での「メニュー／決定」スイッチ７５の決定操作）を行えない一方、翌日である「９／１６」については、前記実行・不実行の設定（カーソルＫが位置する状態での「メニュー／決定」スイッチ７５の決定操作）を行うことができる。
【００６９】
９月１５日（土曜日）のうち１７：００以降は、前記同様、日付表示部１６３には前記操作日の次の日「９／１６」とその次の日「９／１７」の両日が表示され、１７：００以降でかつ２３：００より前までは前記両日について、前記実行・不実行の設定を行うことができる。９月１５日（土曜日）のうち２３：００以降となると次の日「９／１６」について前記実行・不実行の設定ができなくなる。その後９月１６日（日曜日）の１７：００より前までは、引き続き、日付表示部１６３には「９／１６」「９／１７」の両日が表示され、当日「９／１６」について前記実行・不実行の設定を行えない一方、翌日「９／１７」については、前記実行・不実行の設定を行うことができる。さらにその後１７：００以降になると前記同様に日付表示部１６３には「９／１７」「９／１８」の両日が表示されるようになり、２３：００より前までは前記両日について前記実行・不実行の設定を行うことができる。以降、同様の処理態様が繰り返される。
【００７０】
＜設定のキャンセル可否＞
ここで、本実施形態においては、前記余剰沸上実行部３３Ａは、前記のようにして受け付けた、前記各日付における前記太陽光利用沸上運転（ソーラーモードによる運転）の実行・不実行の設定を、その後のリモコン装置５における適宜の操作（詳細な説明及び図示は省略）によって個別に取り消すことができる（＝各請求項記載の実行取消受付手段としての機能）。その取り消し（以下適宜、「設定キャンセル」又は「キャンセル」という）操作の可否の一例を、図１２に示すタイムテーブルのうち図１２（ｃ）に示す。
【００７１】
図１２（ｂ）を用いて前記したように、９月１４日（金曜日）のうち１７：００より前は、操作日の次の日である「９／１５」について前記実行・不実行の設定を行うことができる。これに対応して、図１２（ｃ）に示すように、当該１７：００より前において、次の日「９／１５」について前記実行・不実行の設定キャンセルを行うことができる。
【００７２】
その後、９月１４日（金曜日）のうち１７：００以降でかつ（夜間帯の開始時刻である）２３：００より前までは、次の日「９／１５」及びその次の日「９／１６」の両日について前記したように実行・不実行の設定を行うことができる。これに対応して、図１２（ｃ）に示すように、当該１７：００以降２３：００より前において、それら「９／１５」「９／１６」について前記実行・不実行の設定キャンセルを行うことができる。
【００７３】
その後、前記したように、９月１４日（金曜日）の２３：００以降９月１５日（土曜日）の１７：００より前までは、「９／１６」について前記したように実行・不実行の設定を行うことができる。このとき、図１２（ｃ）に示すように、当該９月１４日（金曜日）の２３：００以降９月１５日（土曜日）１７：００より前においては、前記「９／１６」のみならず、「９／１５」についても、前記実行・不実行の設定キャンセルを行うことができる。すなわち、９月１５日についての設定は、その９月１５日当日となってからでもキャンセルを行うことができる。但しこの際、その当日（ここでは９月１５日）に前記太陽光利用沸上運転の前記実行が選択されていた場合、その当日すなわち太陽光利用沸上運転を実行する日（運転日）の当該太陽光利用沸上運転が終了する時刻以降は、前記設定キャンセルを行うことはできない（＝言い換えれば余剰沸上実行部３３Ａにより受け付けられない。以下同様）。図示の例では、９月１５日（土曜日）については、１１：００に前記太陽光利用沸上運転が開始される（すなわち前記したようにこの場合２時間後の１５：００に太陽光利用沸上運転が終了する）設定となっていることから、９月１５日（土曜日）の１５：００以降は、当該「９／１５」についての前記実行の設定キャンセルを行うことができなくなる。
【００７４】
その後、前記同様、９月１５日（土曜日）のうち１７：００以降でかつ２３：００より前までは、「９／１６」及び「９／１７」の両日について前記実行・不実行の設定可能であることに対応し、図１２（ｃ）に示すように、それら「９／１６」「９／１７」について前記実行・不実行の設定キャンセルを行うことができる。
【００７５】
またその後、前記同様、前記したように、９月１５日（土曜日）の２３：００以降９月１６日（日曜日）の１７：００より前まで「９／１７」について前記実行・不実行の設定可能であることに対応し、図１２（ｃ）に示すように、当該時間範囲においては、「９／１７」及び「９／１６」について前記実行・不実行の設定キャンセルを行うことができる。但しその際、前記同様、その当日（ここでは９月１６日）に前記太陽光利用沸上運転の前記実行が選択されていた場合、前記運転日である９月１６日（日曜日）の太陽光利用沸上運転の終了時刻以降は前記設定キャンセルを行えない。図示の例では、９月１６日（日曜日）について１４：００に前記太陽光利用沸上運転が開始される（すなわち２時間後の１６：００に太陽光利用沸上運転が終了する）設定であることから、９月１６日（日曜日）の１６：００以降は、当該「９／１６」についての前記実行の設定キャンセルを行うことができなくなる。
【００７６】
さらにその後９月１６日（日曜日）の１７：００以降になると前記同様に「９／１７」「９／１８」の両日について前記実行・不実行の設定可能であることに対応し、それら両日についての前記実行・不実行の設定キャンセルを行うことができる。以降、同様の処理態様が繰り返される。
【００７７】
＜太陽光利用沸上運転の開始時刻の変更可否＞
さらに、本実施形態においては、前記余剰沸上設定部３３Ｃは、前記のようにして受け付けた、前記各日付における前記太陽光利用沸上運転（ソーラーモードによる運転）の開始時刻の設定を、その後のリモコン装置５における適宜の操作（詳細な説明及び図示は省略）によって各期日について個別に変更することができる。その時刻変更操作の可否の一例を、図１２に示すタイムテーブルのうち図１２（ｄ）に示す。
【００７８】
図１２（ｂ）等を用いて前記したように、９月１４日（金曜日）のうち１７：００より前は、操作日の次の日である「９／１５」について前記実行・不実行の設定を行うことができる（前記実行を設定した場合は前記開始時刻の設定を行うこともできる）。これに対応して、図１２（ｄ）に示すように、当該１７：００より前において、次の日「９／１５」について前記開始時刻の変更（以下適宜、単に「時刻変更」という）を行うことができる。
【００７９】
その後、９月１４日（金曜日）のうち１７：００以降でかつ（夜間帯の開始時刻である）２３：００より前までは、次の日「９／１５」及びその次の日「９／１６」の両日について前記したように実行・不実行の設定を行うことができる。これに対応して、図１２（ｄ）に示すように、当該１７：００以降２３：００より前において、それら「９／１５」「９／１６」について前記時刻変更を行うことができる。
【００８０】
その後、前記したように、９月１４日（金曜日）の２３：００以降９月１５日（土曜日）の１７：００より前までは、「９／１６」について前記したように実行・不実行の設定を行うことができる。このとき、図１２（ｄ）に示すように、当該９月１４日（金曜日）の２３：００以降９月１５日（土曜日）１７：００より前においては、前記「９／１６」のみならず、「９／１５」についても、前記時刻変更を行うことができる。すなわち、９月１５日についての設定は、その９月１５日当日となってからでも前記時刻変更を行うことができる。但しこの際、その当日（ここでは９月１５日）に前記太陽光利用沸上運転の前記実行が選択されている状態で、その当日すなわち太陽光利用沸上運転の運転日の当該太陽光利用沸上運転が開始される時刻以降は、前記時刻変更を行うことはできない（＝言い換えれば余剰沸上設定部３３Ｃにより受け付けられない。以下同様）。図示の例では、９月１５日（土曜日）については、１１：００に前記太陽光利用沸上運転が開始される設定となっていることから、９月１５日（土曜日）の１１：００以降は、当該「９／１５の１１：００」という前記開始時刻の変更を行うことができなくなる。
【００８１】
その後、前記同様、９月１５日（土曜日）のうち１７：００以降でかつ２３：００より前までは、「９／１６」及び「９／１７」の両日について前記実行・不実行の設定可能であることに対応し、図１２（ｄ）に示すように、それら「９／１６」「９／１７」について前記時刻変更を行うことができる。
【００８２】
またその後、前記同様、前記したように、９月１５日（土曜日）の２３：００以降９月１６日（日曜日）の１７：００より前まで「９／１７」について前記実行・不実行の設定可能であることに対応し、図１２（ｄ）に示すように、当該時間範囲においては、「９／１７」及び「９／１６」について前記時刻変更を行うことができる。但しその際、前記同様、その当日（ここでは９月１６日）に前記太陽光利用沸上運転の前記実行が選択されていた場合、前記運転日である９月１６日（日曜日）の太陽光利用沸上運転の開始時刻以降は前記時刻変更を行えない。図示の例では、９月１６日（日曜日）について１４：００に前記太陽光利用沸上運転が開始されることから、９月１６日（日曜日）の１４：００以降は、当該「９／１６の１４：００」という前記開始時刻の変更を行うことができなくなる。
【００８３】
さらにその後９月１６日（日曜日）の１７：００以降になると前記同様に「９／１７」「９／１８」の両日について前記実行・不実行の設定可能であることに対応し、それら両日についての前記時刻変更を行うことができる。以降、同様の処理態様が繰り返される。
【００８４】
なお、前記図１２では、所定の表示日を含み複数日数分の日付が表示される前記日付表示部１６３において、リモコン装置５０の操作したタイミングが１７：００よりも前であれば前記表示日がその操作日となる一方、１７：００以降であれば前記表示日は当該操作日の次の日となる（すなわち、前記１７：００を境にして表示の日付が１日ずれるように切り替わる）場合を例にとって説明したが、これに限られない。すなわち、前記１７：００に代え、前記太陽光利用沸上運転が実行される場合におけるその実行終了時（実行済みのタイミング）を境に前記の切り替えを行うようにしてもよい。そのような変形例を、前記図１２に対応する図１３に示す。
【００８５】
すなわち、この変形例では、図１２（ａ）に対応する図１３（ａ）に示すように、９月１４日（金曜日）の１７：００以降における日付表示部１６３の「９／１５」「９／１６」の両日の表示は、太陽光利用沸上運転の運転日である９月１５日（土曜日）の、その太陽光利用沸上運転の終了するタイミング（この例では１３：００）より前まで行われ、当該タイミング以降は日付表示部１６３には「９／１６」「９／１７」の両日が表示されるようになる。その後さらに、９月１６日における太陽光利用沸上運転の終了タイミング（この例では１６：００）以降は、同様に日付表示部１６３には「９／１７」「９／１８」の両日が表示される。
【００８６】
また、前記に対応し、図１２（ｂ）に対応する図１３（ｂ）に示すように、９月１４日（金曜日）の２３：００以降における、「９／１５」について前記実行・不実行の設定を行えず「９／１６」について前記実行・不実行の設定を行えるという日付設定の可否は、太陽光利用沸上運転の運転日の太陽光利用沸上運転の終了するタイミング（前記の例では９月１５日（土曜日）の１３：００）より前まで継続され、当該タイミング以降は「９／１６」「９／１７」の両日について前記実行・不実行の設定を行えるようになる。その後は、前記同様に９月１５日（土曜日）の２３：００以降になると「９／１６」について前記実行・不実行の設定を行えず「９／１７」について前記実行・不実行の設定を行えるようになり、この状態は次の太陽光利用沸上運転の運転日の太陽光利用沸上運転の終了するタイミング（前記の例では９月１６日（日曜日）の１６：００）より前まで継続され、当該タイミング以降は「９／１７」「９／１８」の両日について前記実行・不実行の設定を行えるようになる。
【００８７】
さらに、前記に対応し、図１２（ｃ）に対応する図１３（ｃ）に示すように、９月１４日（金曜日）の１７：００以降における「９／１５」「９／１６」について前記実行・不実行の設定キャンセルを行える状態は、太陽光利用沸上運転の運転日である９月１５日（土曜日）の、その太陽光利用沸上運転の終了するタイミング（前記の例では１３：００）より前まで継続され、当該タイミング以降は「９／１６」「９／１７」について前記実行・不実行の設定キャンセルを行えるようになる。その後さらに、９月１６日における太陽光利用沸上運転の終了タイミング（前記の例では１６：００）以降は、同様に「９／１７」「９／１８」について前記実行・不実行の設定キャンセルを行えるようになる。
【００８８】
さらに、前記に対応し、図１２（ｄ）に対応する図１３（ｄ）に示すように、９月１４日（金曜日）の１７：００以降における、「９／１５」「９／１６」の両日について前記開始時刻の変更を行える状態は、太陽光利用沸上運転の運転日の当該太陽光利用沸上運転の終了するタイミング（前記の例では９月１５日（土曜日）の１３：００）より前まで、継続される（但し太陽光利用沸上運転が実行開始される１１：００以降は９月１５日分の前記時刻変更のみ不可）。当該タイミング以降は「９／１６」「９／１７」の両日について前記時刻変更を行えるようになる。この状態は、前記同様、その次の太陽光利用沸上運転の運転日の当該太陽光利用沸上運転の終了するタイミング（前記の例では９月１６日（日曜日）の１６：００）より前まで継続される（但し太陽光利用沸上運転が実行開始される１４：００以降は９月１６日分の前記時刻変更のみ不可）。当該タイミング以降は「９／１７」「９／１８」の両日について前記時刻変更を行えるようになる。
【００８９】
＜本実施形態の特徴２〜リモコン装置の待機画面の遷移＞
また、本実施形態の別の特徴は、前記太陽光利用沸上運転を行う際の、前記リモコン装置５０の前記画面表示部６０における待機画面での表示の遷移の態様にある。以下、その詳細を順を追って説明する。
【００９０】
図５等を用いて前述したように、前記待機状態においてはリモコン装置５０の画面表示部６０には前記待機画面６０Ａが表示されている。そして、前記のようにして太陽光利用沸上運転の実行（及びその開始時間）が設定されると、その実行までに残された期間の長・短に応じて、異なる態様の表示が行われる。
【００９１】
すなわち、前述のようにして前記複数日数分（この例では２日分）について太陽光利用沸上運転の実行・不実行が選択され、少なくとも１日について太陽光利用沸上運転の実行が選択された場合には、図１４（ａ）に示すように、待機画面６０Ｐの日付表示部１７１において、前記実行が選択された少なくとも１日の日付（＝運転日）のうち、直近の日付が表示される。なお、この日付表示部１７１における表示は、前記太陽光利用沸上運転の実行が設定された後、前記直近の運転日の前日までの間、行われる。図１４（ａ）の待機画面６０Ｐでは、前記したように、９月１５日（土曜日）の１１：００に前記太陽光利用沸上運転が開始され、かつ、９月１６日（日曜日）の１４：００に前記太陽光利用沸上運転が開始されるように設定された場合の、９月１４日（金曜日）の２０：００における表示状態を示している。この設定では直近の太陽光利用沸上運転の運転日が９月１５日（土曜日）となることから、その運転日の前日の９月１４日（金曜日）まで、前記日付表示部１７１に「９／１５」の表示が行われる。
【００９２】
また本実施形態では、前記日付表示部１７１において前記直近の運転日の日付がなされるとき（すなわち直近の運転日の前日までの間）、当該日付表示部１７１の横に、太陽光利用沸上運転の実行を予告する余剰沸上予告マークＭＫ（太陽マーク形状。予告表示の一例に相当）が表示される。
【００９３】
図１４（ａ）に示した状態の後、前記直近の運転日になると、画面表示部６０には図１４（ｂ）の待機画面６０Ｑが表示される。この待機画面６０Ｑでは、前記待機画面６０Ｐにおける前記日付表示部１７１に代えて、前記太陽光利用沸上運転の運転日における、当該太陽光利用沸上運転の開始時刻を表す時刻表示部１７２が設けられる。なお詳細には、前記日付表示部１７１から時刻表示部１７２への表示の切り替えは、前記運転日の前日から前記運転日へ日付が切り替わる午前０時ではなく、前記夜間帯における前記午前０時よりも後のタイミングとなる時刻（例えば１：００。後述の図２０（ａ）等参照）において行われる。
【００９４】
図１４（ｂ）に示す例では、前記した９月１５日（土曜日）の１１：００に前記太陽光利用沸上運転が開始される、という設定に応じて、時刻表示部１７２に「１１：００」の表示が行われている。なお、この時刻表示部１７２における表示は、前記太陽光利用沸上運転の前記運転日となった後、実際に太陽光利用沸上運転が開始されるまでの間、行われる。
【００９５】
図１４（ｂ）に示した状態の後、前記運転日の前記太陽光利用沸上運転の開始時刻になると、画面表示部６０には図１５の待機画面６０Ｒが表示される。この待機画面６０Ｒでは、前記待機画面６０Ｑにおける前記日付表示部１７１及び余剰沸上予告マークＭＫに代えて、前記太陽光利用沸上運転が実行中であることを表す「湯増し中」のメッセージ表示ＭＳ（実行表示の一例に相当）が表示される。なお、このメッセージ表示ＭＳは、実際に前記太陽光利用沸上運転が実行中である間（図示の例では９月１５日（土曜日）の１１：３０での状態を表している）、行われる。
【００９６】
＜第１実施形態の特徴３〜待機画面中にポップアップする推奨表示＞
前記図２及び図３を用いて説明したように、貯湯式給湯機１においては、夜間帯（前記の例では２３：００〜７：００）において貯湯タンク１０内の湯水を加熱する前記夜間沸上運転が行われる。この夜間沸上運転において、当該夜間帯以降の昼間帯（前記の例では７：００〜２３：００）において想定される湯水の使用量のうち少なくとも一部を沸き上げることで、夜間帯の商用電源４９からの安価な電力により低コストで貯湯タンク１０内に貯湯することができる。
【００９７】
しかしながら、前記のようにして夜間帯に貯湯を行った後、ユーザが予定外に午前中に入浴やシャワー等により大量の湯水を使用する場合があり得る。この場合、そのままだとその後の昼間帯において通常の炊事や夕方の湯張りに使用される湯水が不足することとなるため、当該昼間帯のうちに追加で貯湯タンク内の湯水を沸き上げる必要がある。
【００９８】
図１６はそのような場合の一例を示している。すなわち、図１６（ａ）は、前記図２で説明したように、夜間帯の適宜の時間帯（この例では３：００〜７：００の４時間）において前記夜間沸上運転を行った場合を示している。この場合で、前記午前中の前記予定外の湯水の使用が生じて前記追加の沸上が必要になった場合には、例えば図１６（ｂ）に示すように、ユーザの適宜の手動操作により（若しくは前記貯湯温度センサ１８の検出結果に基づき制御装置３１により自動的に）所定量の貯湯が行われる（後述の図２２のステップＳ９２、ステップＳ９４も参照）。この例では、１５：００〜１７：００の間、商用電源４９からの電力を用いた２時間の追加沸上運転が行われている。
【００９９】
このとき、昼間帯の前記商用電源４９からの電力は高価であることから、太陽光利用沸上運転により追加で沸上を行うことができれば、そのほうが好ましい。例えば図１７はそのような場合の一例を示している。すなわち、図１７（ａ）は、前記図１６（ａ）と同様、夜間帯の３：００〜７：００に前記夜間沸上運転を行った場合を示しており、図１７（ｂ）は、その際に前記図３と同様に良好な日照条件によって図１７（ｂ）のように大きな余剰電力が生じる場合を示している。図１７（ｂ）に示すように、この場合、１３：００付近のピークでは太陽光発電装置３における発電電力量が２［ｋＷｈ］に達し、前記余剰電力の値は１．５［ｋＷｈ］程度が生じることから、例えば１３：００〜１５：００の間、太陽光利用沸上運転により２時間の追加沸上運転を行うことができる。これにより、前記図１６（ｂ）に示した高価な商用電源４９からの電力を用いる場合よりもコスト低減を図ることができる。なお、図１６により説明したこのような状況は、例えば図２に示したように翌日の日照条件が悪く太陽光利用沸上運転が不可能と予想して（翌日の太陽光利用沸上運転の実行を設定せず）３：００〜７：００までの夜間沸上運転を行った後、その後の日照条件の好転により太陽光利用沸上運転が可能となった場合があり得る。あるいは、もともと翌日の日照条件が良かったのにユーザがそれを見落として、（翌日の太陽光利用沸上運転の実行を設定せず）通常通り３：００〜７：００までの夜間沸上運転を行った場合、等もあり得る。
【０１００】
そこで、本実施形態では、前記のような追加沸上が必要となった場合に、図１７（ｂ）に示したようにその追加沸上を太陽光利用沸上運転により実行することを推奨する（厳密には、太陽光利用沸上運転により実行できる可能性があることをユーザに報知する）。そのために、対応する推奨表示（後述）が、リモコン装置５０の前記画像表示部６０において、行われる。以下、その詳細を順を追って説明する。
【０１０１】
まず、本実施形態では、前記追加沸上が必要であるか否かを見極めるために、任意の日（所望日に相当）の昼間帯の所定時刻（第１所定時刻に相当。この例では例えば１２：００）において、前記貯湯温度センサ１８の検出結果に基づき貯湯タンク１０内の貯湯量が検出される。そして、その貯湯量が、その時点から、夜間帯の前記夜間沸上運転の開始時刻より前の所定時刻（第２所定時刻に相当。この例では夜間帯開始時刻である２３：００）までに想定される湯水の使用量に対して足りていない場合には、前記したように、追加沸上時の太陽光利用沸上運転の実行を推奨する推奨表示が行われる。なお前記の湯水の使用量は、例えば前記制御装置３１が、ユーザの使用履歴を予め所定期間（例えば１週間、１か月間、等）記憶しておき、その記憶結果に基づいてこのユーザの１日の湯水の使用パターン（例えば時間帯別）を公知の手法で学習し、その学習結果を用いて前記想定を行えばよい。
【０１０２】
例えば図１８（ａ）は、先の図１４（ａ）と同様、画面表示部６０に前記待機画面６０Ｐが表示された状態を表している。この例では、９月１５日（土曜日）には前記太陽光利用沸上運転の実行が設定されず（不実行が設定され）、かつ、９月１６日（日曜日）の１４：００に前記太陽光利用沸上運転が開始されるように設定された場合（後述の図２０（ｂ）参照）の、９月１５日（土曜日）の１１：５９における表示状態を示している。前記の設定に対応して図示のように前記日付表示部１７１には「９／１６」の表示が行われ、その横には前記余剰沸上予告マークＭＫが表示されている。またこの例では、前記したような昼間帯（詳細には午前中）におけるユーザの予定外の湯水の使用により貯湯タンク１０内の貯湯量が減少しており、前記貯湯量表示部６４は、前記５つの表示エレメント６４Ａ〜６４Ｅのうち２つの表示エレメント６４Ａ，６４Ｂのみが点灯している。
【０１０３】
この状態の後、時刻が前記１２：００となると、前記したように貯湯量の不足に基づき、図１８（ｂ）に示すように、前記待機画面６０Ｐを略覆うようなポップアップ画面ＰＵが表示される。このポップアップ画面ＰＵには、前記した太陽光利用沸上運転による追加沸上げを推奨するために、この例では、「昼間帯の沸上が予想されています。太陽光発電の余剰電力があれば余剰電力での沸上が可能です。沸上を行う場合は「タンク湯増し」を押してください。」のメッセージＭ（推奨表示に相当）が表示される。なお、前記ポップアップ画面ＰＵに代え、前記待機画面６０Ｐに割り込むようなウィンドウ画面としてもよい（以下、同様）。
【０１０４】
このとき、前記メッセージ表示Ｍを含む前記ポップアップ画面ＰＵは、後述の「タンク湯増し」スイッチ７６の操作が行われなくても前記第１所定時刻（この例では１２：００）以降で前記第２所定時刻（この例では２３：００）より前の所定時刻（第３所定時刻に相当。この例では１５：００）までの間、継続して表示される挙動となる。このように継続して表示される前記ポップアップ画面ＰＵの前記メッセージＭに気がついたユーザが、これに対応してリモコン装置５０による沸上操作を行う（この例では前記「タンク湯増し」スイッチ７６を押下する）と、前記したように太陽光利用沸上運転による貯湯タンク１０内の貯湯が開始される。これにより、図１８（ｃ）に示すように、画面表示部６０の表示は、前記ポップアップ画面ＰＵが消失するとともに前記図１５と同様の待機画面６０Ｒに移行し、前記日付表示部１７１及び余剰沸上予告マークＭＫに代わる前記「湯増し中」のメッセージ表示ＭＳ（実行表示の一例に相当）が表示される。図示の例では、前記１２：００から継続表示されているメッセージ表示ＭＳに対応して１３：００にユーザにより「タンク湯増し」スイッチ７６が押されて追加沸上が開始された後、２時間が経過して当該追加沸上がちょうど終了する直前の１５：００の状態の前記待機画面６０Ｒを表している。図示のように、この２時間の追加沸上により貯湯タンク１０内の貯湯量が増加し、前記貯湯量表示部６４は、前記５つの表示エレメント６４Ａ〜６４のうち４つの表示エレメント６４Ａ，６４Ｂ，６４Ｃ，６４Ｄが点灯している。
【０１０５】
なお、前記図１８（ｂ）に示す前記メッセージ表示Ｍを含む前記ポップアップ画面ＰＵが表示された状態のまま、前記「タンク湯増し」スイッチ７６の操作が行われることなく前記第３所定時刻（前記の例では１５：００）となった場合は、ポップアップ画面ＰＵが消失して前記図１８（ａ）の状態に戻る。そしてこの図１８（ａ）に示す待機画面６０Ｐは、前記したように９月１６日（日曜日）の１：００まで表示される（後述の図２０（ｂ）も参照）。また、前記１５：００までの継続表示の間に、前記「タンク湯増し」スイッチ７６ではない何らかのリモコン装置５０へのユーザ操作によって、ポップアップ画面ＰＵが消失し前記図１８（ａ）の状態に戻るようにしてもよい。これは、例えば前記のようにしてポップアップ画面ＰＵのメッセージＭによる推奨表示が行われたが、実際には日照条件があまり良くなかった場合、等に対応するためである。この場合、ユーザは、前記日照条件が悪いことを認識して太陽光利用沸上運転を行わない旨の決定をした後、前記リモコン装置５０への何らかの操作を行うことによって、前記ポップアップ画面ＰＵを消失させることができる。
【０１０６】
また例えば、図１９（ａ）は、別の例として、ユーザが全く太陽光利用沸上運転の実行を考慮せず、９月１５日（土曜日）にも９月１６日（日曜日）にも前記太陽光利用沸上運転の実行を設定していない（不実行が設定されている）場合を示している。前記図１８（ａ）同様、９月１５日（土曜日）の１１：５９における表示状態を示しており、前記貯湯量表示部６４は２つの表示エレメント６４Ａ，６４Ｂのみが点灯している。そしてこの場合、前記の太陽光利用沸上運転の実行設定なし（不実行の設定）に対応し、図示の待機画面６０Ｐには前記日付表示部１７１も前記余剰沸上予告マークＭＫも表示されていない。
【０１０７】
この後、時刻が前記１２：００となると、前記同様、図１９（ｂ）に示すように、前記メッセージＭを含む前記ポップアップ画面ＰＵが１５：００まで継続表示される。前記同様、ユーザがリモコン装置５０による沸上操作を行うと前記太陽光利用沸上運転による貯湯タンク１０内の貯湯が開始され、図１９（ｃ）に示すように、前記「湯増し中」のメッセージ表示ＭＳを含む待機画面６０Ｒに移行する。図示の例は、前記同様、１３：００に「タンク湯増し」スイッチ７６が押されて２時間が経過した１５：００の状態を表し、２時間の追加沸上により前記貯湯量表示部６４の４つの表示エレメント６４Ａ，６４Ｂ，６４Ｃ，６４Ｄが点灯している。
【０１０８】
なお、前記図１９（ｂ）の前記ポップアップ画面ＰＵが表示された状態のまま、前記「タンク湯増し」スイッチ７６が操作されることなく前記１５：００となった場合は、前記同様に前記図１９（ａ）の待機画面６０Ｐに戻る（後述の図２０（ｃ）も参照）。また前記同様、この例においても、前記１５：００までの継続表示の間に前記何らかのリモコン装置５０へのユーザ操作によって、ポップアップ画面ＰＵを消失させ、前記図１９（ａ）の状態に戻るようにしてもよい。
【０１０９】
なお、以上説明した図１３、図１４、図１５、図１８、及び図１９に示した画面表示部６０の画面遷移（言い換えれば各待機画面の表示）は、前記表示制御部３３Ｂによる制御によって行われる。すなわち、前記表示制御部３３Ｂは、各請求項記載の推奨表示制御手段及び消失制御手段として機能する。
【０１１０】
＜待機画面表示例のタイムテーブル＞
前記図１４（ａ）、図１４（ｂ）、図１５を用いて説明した、前記待機画面６０Ｐ，６０Ｑ，６０Ｒにおける表示内容の例を、図２０に示すタイムテーブルのうち図２０（ａ）に示す。
【０１１１】
図２０（ａ）において、この例では、前記の、９月１５日（土曜日）の１１：００、及び、９月１６日（日曜日）の１４：００、のそれぞれを開始時刻とする、前記太陽光利用沸上運転（ソーラーモードによる運転）の実行の設定が、９月１４日（金曜日）の２０：００になされている。前記したように、太陽光利用沸上運転の実行が設定された後、前記直近の運転日の前日及び前記直近の運転日の１：００より前までの間は、日付表示部１７１において前記直近の運転日の日付表示が行われる。この結果、９月１４日（金曜日）の２０：００〜９月１５日（土曜日）１：００より前までは、待機画面６０Ｐにおいて、日付表示部１７１で「９／１５」が表示されるとともに、前記したようにその横に前記余剰沸上予告マークＭＫ（太陽マーク形状）が表示される。
【０１１２】
その後、前記したように前記直近の運転日の１：００以降は、時刻表示部１７２において太陽光利用沸上運転の開始時刻が表示され、また太陽光利用沸上運転が実際に実行されている間は、前記メッセージ表示ＭＳが表示される。この結果、図示のように、９月１５日（土曜日）の１：００〜１１：００より前までは、待機画面６０Ｑにおいて、前記余剰沸上予告マークＭＫ（太陽マーク形状）に加え、時刻表示部１７２において「１１：００」が表示される。そして、前述のようにその後の９月１５日（土曜日）の１１：００に太陽光利用沸上運転が開始された後その太陽光利用沸上運転が終了する１３：００までの間は、待機画面６０Ｒにおいて前記「湯増し中」のメッセージ表示ＭＳが表示される。
【０１１３】
その後、９月１５日（土曜日）の１３：００以降になると前記同様に待機画面６０Ｐの日付表示部１７１における「９／１６」及び前記余剰沸上予告マークＭＫ（太陽マーク形状）が表示され、９月１６日（日曜日）の１：００より前まで、この表示となる。そして９月１６日（日曜日）１：００以降になると前記同様に待機画面６０Ｑの時刻表示部１７２における「１４：００」及び前記余剰沸上予告マークＭＫ（太陽マーク形状）が表示される。その後９月１６日（日曜日）１４：００〜１６：００の間は待機画面６０Ｒで前記「湯増し中」のメッセージ表示ＭＳが表示される。なお、図２０（ａ）に示すこの例では、前記設定が行われる前の９月１４日（金曜日）２０：００より前、及び、９月１６日（日曜日）の１６：００より後、においては、日付表示部１７１や時刻表示部１７２や余剰沸上予告マークＭＫやメッセージ表示ＭＳのない（図２０（ａ）中に「×」印で略示）、前記図５に示した待機画面６０Ａが表示される。
【０１１４】
図２０（ｂ）に、前記とは別に、９月１５日（土曜日）に対して太陽光利用沸上運転の不実行の設定（実行の設定なし。以下同様）、９月１６日（日曜日）に対しては開始時刻１４：００の前記太陽光利用沸上運転（ソーラーモードによる運転）の実行の設定、が９月１４日（金曜日）の２０：００になされた場合を示す。この場合、前記直近の運転日が９月１６日（日曜日）となることから、図示のように、９月１４日（金曜日）の２０：００〜９月１６日（土曜日）１：００より前までは、待機画面６０Ｐにおいて、日付表示部１７１で「９／１６」が表示されるとともに、前記したようにその横に前記余剰沸上予告マークＭＫ（太陽マーク形状）が表示される挙動となる。
【０１１５】
ここで、この図２０（ｂ）に示す例では、前記「特徴３」で述べた追加沸上の必要が生じた場合を例示している。すなわち、９月１４日（金曜日）２３：００〜９月１５日（土曜日）７：００までの夜間帯に前記夜間沸上運転を行った後、ユーザが予定外に９月１５日（土曜日）の午前中に大量の湯水を使用した場合の例である。前記したように、９月１５日（土曜日）の１２：００において前記貯湯温度センサ１８の検出結果に基づき貯湯タンク１０内の貯湯量が検出されるとともに、この９月１５日（土曜日）１２：００から２３：００までに想定される湯水の使用量が算出される。この例では、前記貯湯量が前記想定される使用量未満であった結果、当該９月１５日（土曜日）１２：００から、前記待機画面６０Ｐ中に、前記メッセージＭを含むポップアップ画面ＰＵ（図１８（ｂ）参照）が表示される。
【０１１６】
図示の例では、９月１５日（土曜日）１２：００からのポップアップ画面ＰＵの表示に対し、９月１５日（土曜日）１３：００にユーザにより「タンク湯増し」スイッチ７６が操作されて前記追加沸上が開始されることで、前記ポップアップ画面ＰＵは消失する（但し前記操作がなければポップアップ画面ＰＵは１５：００まで継続表示される）とともに、前記「湯増し中」のメッセージ表示ＭＳを備えた待機画面６０Ｒに移行する。そして、９月１５日（土曜日）１５：００において前記追加沸上が終了した後は、日付表示部１７１で「９／１６」が表示されかつその横に前記余剰沸上予告マークＭＫが表示される、前記待機画面６０Ｐに復帰する。この待機画面６０Ｐは、前記したように９月１６日（土曜日）１：００より前まで表示される。
【０１１７】
その後は前記図２０（ａ）と同様であり、９月１６日（日曜日）の１：００〜１４：００より前までは待機画面６０Ｑにおいて前記余剰沸上予告マークＭＫの表示と時刻表示部１７２の「１４：００」表示とが行われ、９月１６日（日曜日）の１４：００〜１６：００は待機画面６０Ｒにおいて前記「湯増し中」のメッセージ表示ＭＳが表示される。なお、図２０（ｂ）に示すこの例においても、前記同様、前記設定が行われる前の９月１４日（金曜日）２０：００より前、及び、９月１６日（日曜日）の１６：００より後、において、日付表示部１７１や時刻表示部１７２や余剰沸上予告マークＭＫやメッセージ表示ＭＳのない（図２０（ａ）中に「×」印で略示）、前記図５に示した待機画面６０Ａが表示される。
【０１１８】
また、図２０（ｃ）に、さらに別の例として、９月１５日（土曜日）に対しても９月１６日（日曜日）に対しても、前記太陽光利用沸上運転の実行の設定なし（不実行の設定）の場合を示す。この場合、前記図１９（ａ）を用いて前記したように、前記日付表示部１７１も前記余剰沸上予告マークＭＫも含まない前記待機画面６０Ｐが表示されることとなる（前記同様、図２０（ｃ）中に「×」印で略示）。
【０１１９】
そしてこの図２０（ｃ）の例も、前記図２０（ｂ）同様、９月１４日（金曜日）２３：００〜９月１５日（土曜日）７：００までの前記夜間沸上運転の後の９月１５日（土曜日）の午前中の湯水使用で、９月１５日（土曜日）の１２：００時点での貯湯タンク１０内の貯湯量が２３：００までに想定される湯水の使用量未満であった場合を示している。このような貯湯量不足の結果、前記同様、当該９月１５日（土曜日）１２：００から、前記待機画面６０Ｐ中に、前記メッセージＭを含むポップアップ画面ＰＵ（図１９（ｂ）参照）が表示される。
【０１２０】
そして、この例でも、前記図２０（ｂ）同様、９月１５日（土曜日）１３：００にユーザにより「タンク湯増し」スイッチ７６が操作されて前記追加沸上が開始されることで、前記ポップアップ画面ＰＵは消失する（但し前記操作がなければポップアップ画面ＰＵは１５：００まで継続表示される）とともに、前記「湯増し中」のメッセージ表示ＭＳを備えた待機画面６０Ｒ（図１９（ｃ）参照）に移行する。そして、９月１５日（土曜日）１５：００において前記追加沸上が終了した後は、前記日付表示部１７１も前記余剰沸上予告マークＭＫも表示されない、前記待機画面６０Ｐ（図１９（ａ）参照）に復帰する。
【０１２１】
さらに、図２０（ｄ）に、上記図２０（ｃ）と同様、９月１５日（土曜日）に対しても９月１６日（日曜日）に対しても、前記太陽光利用沸上運転の実行の設定なし（不実行の設定）の場合の別の例を示す。前記したように、この場合、前記日付表示部１７１も前記余剰沸上予告マークＭＫも含まない前記待機画面６０Ｐが表示される。そしてこの図２０（ｄ）の例も、前記同様、９月１５日（土曜日）の１２：００時点での貯湯タンク１０内の貯湯量が２３：００までに想定される湯水の使用量未満となり、前記同様、当該９月１５日（土曜日）１２：００から、前記メッセージＭを含むポップアップ画面ＰＵ（図１９（ｂ）参照）が表示されている。
【０１２２】
そしてこの例では、前記図２０（ｃ）と異なり、９月１５日（土曜日）１５：００まで前記「タンク湯増し」スイッチ７６の操作がなされなかった場合を示している。この結果、当該９月１５日（土曜日）１５：００をもって前記ポップアップ画面ＰＵは消失し、前記日付表示部１７１も前記余剰沸上予告マークＭＫも表示されない前記待機画面６０Ｐに復帰する。
【０１２３】
＜制御フロー＞
以上説明した手法を実現するために、前記制御装置３１が実行する制御手順を、図２１、図２２、図２３、及び図２４のフローチャートにより説明する。なお、このフローチャートが実行される日の次の日を以下適宜、単に「翌日」と称し、これに対応してこのフローチャートの実行される日を以下適宜、単に「当日」と称する。
【０１２４】
まず図２１において、ステップＳ２で、制御装置３１は、例えば前記余剰沸上実行部３３Ａにより、前記太陽光利用沸上運転が不可能である場合を表す沸上不能フラグＦを０に初期化する。
【０１２５】
その後、ステップＳ５で、制御装置３１は、例えば前記余剰沸上実行部３３Ａにより、電力料金単価が安価な前記夜間帯（この例では当日２３：００〜翌日７：００。但し電力会社との契約内容による）の開始時刻（この例では２３：００。以下同様）となったか否かを判定する。夜間帯開始時刻となるまでは判定が満たされず（Ｓ５：ＮＯ）ループ待機し、夜間帯開始時刻となったら判定が満たされ（Ｓ５：ＹＥＳ）、ステップＳ２５に移る。
【０１２６】
ステップＳ２５では、制御装置３１は、予め給湯流量センサ１６及び給湯温度センサ１７の検出結果等に対応して前記使用湯量学習部３４で学習済みの過去所定期間の日毎の学習湯量に基づき、前記必要熱量決定部３５により、平均や標準偏差等を用いた公知の手法を用いて前記翌日における必要熱量を決定（算出）する。なお、この必要熱量は、所定温度（例えば４３［℃］）換算の必要湯量として算出しても良い。
【０１２７】
その後、ステップＳ３０で、制御装置３１は、前記必要熱量決定部３５により、前記ステップＳ２５で決定した前記必要湯量と、例えば前記外気温度センサ３０の検出結果に対応して公知の手法で予測される前記翌日の外気温度（あるいは前記給水温度等の他の条件でもよい）と、から、前記沸上目標温度を決定する。なお、この沸上目標温度は、例えば６５［℃］〜７５［℃］の間でなるべく低く設定されるが、特に前記必要湯量が多い場合や、前記外気温度が低い場合や、前記給水温度が低い場合には（それ以外の場合に比べ）高めに設定される。
【０１２８】
そして、ステップＳ３５で、制御装置３１は、前記夜間沸上容量算出部３６により、前記ステップＳ３０で決定された前記必要熱量を前記沸上目標温度と給水温度との温度差で除して前記必要容量に換算し、前記夜間沸上運転を行うときの夜間沸上容量とする。なお、このようにして算出した算出した必要容量が前記貯湯タンク１０の容量を超えている場合には、当該貯湯タンク１０の容量を前記夜間沸上容量としても良い。その後、ステップＳ４０に移る。
【０１２９】
ステップＳ４０では、制御装置３１は、前記余剰沸上実行部３３Ａにより、前記リモコン装置５０を介したユーザの操作によって、前記太陽光利用沸上運転の実行が設定（選択）されているか否か、を判定する。前記実行が選択されていなかった（不実行が選択されていた）場合は判定が満たされず（Ｓ４０：ＮＯ）、後述のステップＳ４６に移る。前記実行が選択されていた場合は判定が満たされ（Ｓ４０：ＹＥＳ）、ステップＳ４２に移る。
【０１３０】
ステップＳ４２では、制御装置３１は、前記余剰沸上設定部３３Ｃにより、前記リモコン装置５０を介したユーザの操作によって設定（選択）された、実際に前記太陽光利用沸上運転を開始する余剰沸上開始時間（ここでは一例として１１：００が設定されているとする）を取得する。その後、ステップＳ４５に移る。
【０１３１】
ステップＳ４５では、制御装置３１は、前記余剰沸上容量決定部３７により、前記ステップＳ４２で決定された前記余剰沸上開始時間から、貯湯式給湯機１が、前記ヒートポンプ装置１９の所定の加熱能力の大きさで前記沸上目標温度まで沸き上げる前記余剰沸上容量を決定する。この例では、この余剰沸上容量は固定値（例えば１００Ｌ）に設定されるが、適宜の操作によりユーザが可変に設定するようにしてもよい。また、固定値の種類が複数（例えば１００Ｌ，５０Ｌ等）用意されており、いずれの固定値を選択して適用するかを太陽光利用沸上運転の開始前に事前に決定してもよい。その手法は、ユーザや施工者等の操作入力で設定してもよいし、ユーザの日々又は所定期間における使用履歴に基づき、適宜のタイミングで制御装置３１によって公知の手法により自動的に決定されてもよい。また、そのような固定値をベースとしながらも、太陽光利用沸上運転時又はその前の状況・環境等に基づき、そのベースとなる固定値に対し適宜の補正・修正を制御装置３１によって施すようにしてもよい。またこの補正の一例として、前記余剰沸上容量をゼロとする（すなわち昼間帯における太陽光利用沸上運転を禁止する）ものを含めてもよい。
そして、前記のような固定値の種類の選択や補正の有無・補正内容を、前記連続期間における各期日に対しリモコン装置５０によりユーザが個別に設定（あるいは制御装置３１が決定）可能としてもよい。この場合、前記のように前記余剰沸上容量をゼロとする期日の指定を、電力需要が極めて大きい季節又は時間帯（いわゆるピークカット）としてもよいし、旅行などで不在となる任意の日程をユーザが指定するようにしてもよい。
なお、前記のようにして前記余剰沸上容量を前記固定値とする場合は、以下のような技術的意義がある。すなわち、ユーザが可変に設定する手法とした場合、例えば翌日の日照条件が非常に良いとユーザが予想（判断）して太陽光利用沸上運転による前記余剰沸上容量をかなり多め（例えば貯湯タンク１０内の容量の大部分）に設定する場合があり得る。この場合、その多めの設定により、夜間帯における夜間沸上容量は極めて少なくなるため、太陽光利用沸上運転の当日の朝には、貯湯タンク１０内の大部分が未加熱水となる。その結果、例えば前記当日の午前中（太陽光利用沸上運転が始まる前）において、臨時の家事や入浴・シャワー等に湯水を使用したい場合に貯湯タンク１０内の貯湯量が足りなくなる恐れがある。あるいは、前記予想とは異なり当日の日照条件があまりよくなかった場合には、太陽光利用沸上運転により生成される加熱水の量が不足し、最も湯水が消費される前記当日の夕方以降において前記同様に貯湯タンク１０内の貯湯量が足りなくなる恐れもある。
【０１３２】
これに対して、前記のように例えば前記余剰沸上容量を固定値とする場合、その数値をある程度の値（例えば１００Ｌ等にとどめる）として余剰沸上に対する制限値とするすることにより、夜間帯における前記夜間沸上容量を、少なくても、貯湯タンク１０内の全容量−１００Ｌとすることができる（前記全容量が２００Ｌである場合には、２００−１００＝１００Ｌとなる）。この結果、前記と異なり、前記当日の午前中（太陽光利用沸上運転が始まる前）においても、最低限の貯湯量を確保することができるので、前記貯湯量の不足による弊害を回避することができる。またこの固定値をあまり少なくすると、太陽光による発電の有効活用の点から無駄が多くなってしまう。前記のように例えば１００Ｌとすることで、夜間帯における前記夜間沸上容量と昼間帯における前記余剰沸上容量との絶妙なバランスをとりつつ、前記太陽光による発電の有効活用と前記貯湯量の不足による弊害回避との両方を図ることができるものである。
【０１３３】
そして、ステップＳ５０で、制御装置３１は、前記補正夜間沸上容量算出部３８により、前記ステップＳ３５で算出された前記夜間沸上容量から、前記ステップＳ４５で決定された余剰沸上容量を差し引いて、実際に前記夜間帯に沸き上げる前記補正夜間沸上容量を算出する。その後、後述のステップＳ５５に移る。
【０１３４】
一方、前記ステップＳ４０での判定が満たされず移行したステップＳ４６では、制御装置３１は、例えば前記補正夜間沸上容量算出部３８により、前記沸上不能フラグＦを、前記太陽光利用沸上運転が不可能である場合を表す１とする。その後、ステップＳ５５に移る。
【０１３５】
ステップＳ５５では、制御装置３１は、前記夜間沸上制御部３９により、前記複数の貯湯温度センサ１８の検出結果に基づき、前記貯湯タンク１０のうち、十分に加熱された（前記所定温度以上となっている）状態でお湯とみなせる貯湯量の容量（残湯容量）を算出する。
【０１３６】
その後、ステップＳ６０で、制御装置３１は、夜間沸上制御部３９により、前記夜間沸上運転の開始時刻を算出する。すなわち、前記ステップＳ４０の判定が満たされ（Ｓ４０：ＹＥＳ）、ステップＳ４２〜ステップＳ５０及びステップＳ５５を経てステップＳ６０に移行していた場合は、前記夜間沸上制御部３９により、前記ステップＳ５０で算出された前記補正夜間沸上容量から前記ステップＳ５５で算出した残湯容量を減算した容量を沸き上げるのに必要な沸き上げ時間を算出し、前記夜間帯の終了時刻（例えば７：００）に沸上完了するのに適切な（例えば、前記夜間帯終了時刻から前記必要な沸上時間を差し引くことで）、前記夜間沸上運転の開始時刻を算出する。
【０１３７】
一方、前記ステップＳ４０の判定が満たされず（Ｓ４０：ＮＯ）、ステップＳ４６及びステップＳ５５を経てステップＳ６０に移行していた場合は、前記夜間沸上制御部３９により、前記ステップＳ３５で算出した前記夜間沸上容量から前記ステップＳ５５で算出した残湯容量を減算した容量を沸き上げるのに必要な沸き上げ時間を算出し、前記夜間帯の終了時刻（例えば７：００）に沸上完了するのに適切な（例えば、前記夜間帯終了時刻から前記必要な沸上時間を差し引くことで）夜間沸上運転の開始時刻を算出する。
【０１３８】
そして、図２２のステップＳ６２に移り、制御装置３１は、前記夜間沸上制御部３９により、この時点での時刻（現在時刻）がステップＳ６０で算出した夜間沸上運転の開始時刻となったか否かを判定する。夜間沸上運転の開始時刻となっていなければ判定が満たされず（Ｓ６２：ＮＯ）ループ待機し、前記現在時刻が前記夜間沸上運転の開始時刻となっていたら判定が満たされ（Ｓ６２：ＹＥＳ）、ステップＳ２００に移る。
【０１３９】
ステップＳ２００では、制御装置３１は、前記夜間沸上制御部３９による夜間沸上処理を行う。このステップＳ２００の詳細手順を図２３（ａ）に示す。
【０１４０】
図２３（ａ）において、まずステップＳ２１５で、制御装置３１は、前記夜間沸上制御部３９により、前記貯湯式給湯機１の前記ヒートポンプ装置１９（詳細には、前記圧縮機２０、前記送風機２４、前記加熱循環ポンプ２８等）を制御し、前記商用電源４９からの電力を用いて、前記貯湯タンク１０の下部から取り出した水を前記ステップＳ３０で決定した前記沸上目標温度まで加熱して貯湯タンク１０の上部から順次積層させる、前記夜間沸上運転を開始する。
【０１４１】
その後、ステップＳ２１６で、制御装置３１は、前記夜間沸上制御部３９により、前記のようにして夜間沸上運転が開始された後、前記ステップＳ５０で算出した前記補正夜間沸上容量（又はステップＳ４０の判定が満たされていないときはステップＳ３５で算出した夜間沸上容量）を前記所定温度以上に沸き上げたことが前記貯湯温度センサ１８により検出されたか否か、を判定する。前記補正夜間沸上容量（又は夜間沸上容量）を沸き上げていない場合は判定が満たされず（Ｓ２１６：ＮＯ）ループ待機し、前記補正夜間沸上容量（又は夜間沸上容量）を沸き上げていた場合は判定が満たされ（Ｓ２１６：ＹＥＳ）、ステップＳ２１８に移る。
【０１４２】
ステップＳ２１８では、制御装置３１は、前記夜間沸上制御部３９により、前記ヒートポンプ装置１９を制御し、前記ステップＳ２１５で開始した夜間沸上運転を停止する。このとき、貯湯タンク１０の下部には、前記ステップＳ４５で算出した余剰沸上容量と同じ容量だけ、未加熱水が残ることとなる（ステップＳ４０の判定が満たされた場合）。その後、図２２に戻り、ステップＳ７２に移る。
【０１４３】
ステップＳ７２では、制御装置３１は、前記夜間帯の終了時刻（この例では７：００）となったか否かを判定する。夜間帯終了時刻となっていなければ判定が満たされず（Ｓ７２：ＮＯ）ループ待機し、夜間帯終了時刻となっていたら判定が満たされ（Ｓ７２：ＹＥＳ）、ステップＳ２５０に移る。このステップＳ２５０の詳細手順を図２４に示す。
【０１４４】
図２４において、まずステップＳ２５２で、制御装置３１は、例えば前記昼間沸増制御部４２により、予め定められた昼間帯の所定時刻（前記第１所定時刻。この例では１２：００。以下同様）となったか否かを判定する。１２：００となるまでは判定が満たされず（Ｓ２５２：ＮＯ）ループ待機し、１２：００となったら判定が満たされ（Ｓ２５２：ＹＥＳ）、ステップＳ２５４に移る。
【０１４５】
ステップＳ２５４では、制御装置３１は、例えば前記昼間沸増制御部４２により、前記フラグＦが１であるか否かを判定する。Ｆ＝０のままであれば判定が満たされず（Ｓ２５４：ＮＯ）、このルーチンを終了して後述する図２２のステップＳ７１へ移行する。Ｆ＝１であれば判定が満たされ（Ｓ２５４：ＹＥＳ）、ステップＳ２５６へ移行する。なお、このステップＳ２５４を実行する前記昼間沸増制御部４２が、各請求項記載の実行判定手段として機能する。
【０１４６】
ステップＳ２５６では、制御装置３１は、前記昼間沸増制御部４２により、前記ステップＳ５５と同様、前記複数の貯湯温度センサ１８の検出結果に基づき、前記貯湯タンク１０のうち十分に加熱された（前記所定温度以上となっている）状態でお湯とみなせる貯湯量（残湯容量）を検出（算出）する。
【０１４７】
その後、ステップＳ２５８で、制御装置３１は、前記使用湯量学習部３４で学習済みの過去所定期間の日毎の学習湯量に基づき、例えば前記必要熱量決定部３５により、この時点から、前記夜間沸上運転の開始時刻よりも前の所定時刻（前記第２所定時刻。この例では前記夜間帯の開始時刻である２３：００）までに想定される、湯水の使用量（予測使用量）を決定する。そして、例えば昼間沸増制御部４２により、前記ステップＳ２５６で検出された貯湯量（残湯容量）が、前記ステップＳ２５８で算出された前記予測使用量以上であるか否か、を判定する。残湯容量≧予測使用量であれば判定が満たされ（Ｓ２６０：ＹＥＳ）、このルーチンを終了して後述する図２２のステップＳ７１へ移行する。残湯容量＜予測使用量であれば判定が満たされず（Ｓ２６０：ＮＯ）、ステップＳ２６２へ移行する。なお、このステップＳ２６０を実行する前記昼間沸増制御部４２が、各請求項記載の貯湯量判定手段として機能する。
【０１４８】
ステップＳ２６２では、制御装置３１は、前記表示制御部３３Ｂにより、前記リモコン装置５０の画面表示部６０において前記待機画面６０Ｐを略覆うような前記ポップアップ画面ＰＵ（前記推奨表示としての前記メッセージＭを含む）を表示する。
【０１４９】
その後、ステップＳ２６４で、制御装置３１は、例えば前記昼間沸増制御部４２により、前記第１所定時刻以降で前記第２所定時刻より前の所定時刻（前記第３所定時刻。この例では１５：００）以降であるか否かを判定する。１５：００となるまでは判定が満たされず（Ｓ２６４：ＮＯ）、ステップＳ２６６に移る。ステップＳ２６６では、制御装置３１は、例えば前記昼間沸増制御部４２により、リモコン装置５０に対しユーザによる何らかの操作があったか否かを判定する。何らかの操作がなければ判定が満たされず（Ｓ２６６：ＮＯ）、前記ステップＳ２６４に戻り、同様の手順を繰り返す。このようにして、ステップＳ２６６→ステップＳ２６４→ステップＳ２６６→ステップＳ２６４→・・が繰り返される中で、前記何らかの操作がありステップＳ２６６の判定が満たされるか、若しくは、１５：００となりステップＳ２６４の判定が満たされたら、ステップＳ２６８へ移行する。
【０１５０】
ステップＳ２６８では、制御装置３１は、前記表示制御部３３Ｂにより、前記前記ステップＳ２６２で表示開始された前記ポップアップ画面ＰＵを消失させ（表示停止）させ、前記待機画面６０Ｐの表示状態に復帰させる。
【０１５１】
その後、ステップＳ２７０で、制御装置３１は、前記昼間沸増制御部４２により、ユーザの前記「タンク湯増し」スイッチ７６の操作により、前記追加沸上を実行する旨の操作があったか否かを判定する。この例では、前記「タンク湯増し」スイッチ７６の操作は、予め固定的に定められた所定時間（例えば１時間。若しくはそれよりも長い２時間等でもよい）だけ前記貯湯タンク１０内の湯水を沸き上げる旨の操作（第１沸上操作に相当）となっている。但し、これに限られず、前記「タンク湯増し」スイッチ７６の操作が、予め固定的に定められた所定容量の湯水を前記所定温度以上とするための操作（第２沸上操作に相当）であってもよいし、あるいは、貯湯タンク１０内の全量を前記所定温度以上とするための操作（第３沸上操作に相当）であってもよい。前記「タンク湯増し」スイッチ７６を用いた追加沸上操作がなければ判定が満たされず（Ｓ２７０：ＮＯ）、このルーチンを終了して後述する図２２のステップＳ７１へ移行する。前記「タンク湯増し」スイッチ７６を用いた追加沸上操作があれば判定が満たされ（Ｓ２７０：ＹＥＳ）、ステップＳ２７２へ移行する。なお、このステップＳ２７０を実行する前記昼間沸増制御部４２が、各請求項記載の沸上操作受付手段として機能する。
【０１５２】
ステップＳ２７２では、制御装置３１は、前記昼間沸増制御部４２により、前記貯湯式給湯機１の前記ヒートポンプ装置１９（詳細には、前記圧縮機２０、前記送風機２４、前記加熱循環ポンプ２８等）を制御し、前記ステップＳ２７２で操作（指示）された態様の追加沸上運転（太陽光利用沸上運転）を開始する。
【０１５３】
その後、ステップＳ２７４で、制御装置３１は、前記昼間沸増制御部４２により、前記のようにして追加沸上運転が開始された後、前記所定時間（前記の例では１時間）が経過した沸上完了となったか否かを判定する。前記沸上完了となるまで判定が満たされずループ待機し（Ｓ２７４：ＮＯ）、沸上完了となった場合は判定が満たされ（Ｓ２７４：ＹＥＳ）、ステップＳ２７６に移る。
【０１５４】
ステップＳ２７６では、制御装置３１は、前記昼間沸増制御部４２により、前記ヒートポンプ装置１９を制御し、前記ステップＳ２７２で開始した前記追加沸上運転を停止する。その後、このルーチンを終了して図２２のステップＳ７１へ移行する。なお、前記のステップＳ２７２、ステップＳ２７４、ステップＳ２７６を実行する前記昼間沸増制御部４２が、各請求項記載の加熱制御手段として機能する。
【０１５５】
前記図２２に戻り、ステップＳ７１では、制御装置３１は、前記沸上不能フラグＦが１であるか否か、すなわち前記余剰電力による前記太陽光利用沸上運転の不実行が選択されている（実行が選択されていない）か否かを判定する。Ｆ＝１であれば判定が満たされ（Ｓ７１：ＹＥＳ）、後述のステップＳ９６に移る。Ｆ＝０のままであれば判定が満たされず（Ｓ７１：ＮＯ）、ステップＳ３００に移る。
【０１５６】
ステップＳ３００では、制御装置３１は、前記余剰沸上制御部４０による余剰沸上処理を行う。このステップＳ３００の詳細手順を図２３（ｂ）に示す。
【０１５７】
図２３（ｂ）において、まずステップＳ３２０で、制御装置３１は、前記余剰沸上制御部４０により、この時点での時刻（現在時刻）が前記ステップＳ４２で決定した太陽光利用沸上運転の開始時刻（余剰沸上開始時刻。前述の例では１１：００）となったか否かを判定する。余剰沸上開始時刻となるまでは判定が満たされず（Ｓ３２０：ＮＯ）、ループ待機する。余剰沸上開始時刻となっていたら判定が満たされ（Ｓ３２０：ＹＥＳ）、ステップＳ３２２に移る。
【０１５８】
ステップＳ３２２では、制御装置３１は、前記余剰沸上制御部４０により、前記貯湯式給湯機１の前記ヒートポンプ装置１９（詳細には、前記圧縮機２０、前記送風機２４、前記加熱循環ポンプ２８等）を制御し、前記貯湯タンク１０の下部から取り出した水を前記ステップＳ３０で決定した前記沸上目標温度まで加熱して貯湯タンク１０の上部から順次積層させる、太陽光利用沸上運転（余剰沸上運転）を開始する。
【０１５９】
その後、ステップＳ３２４で、制御装置３１は、前記余剰沸上制御部４０により、前記のようにして太陽光利用沸上運転が開始された後、ステップＳ４５で算出した前記余剰沸上容量を沸き上げたことが前記貯湯温度センサ１８により検出されたか否かを判定する。前記余剰沸上容量を沸き上げるまでは判定が満たされず（Ｓ３２４：ＮＯ）ループ待機し、前記余剰沸上容量を沸き上げた場合は判定が満たされ（Ｓ３２４：ＹＥＳ）、ステップＳ３２６に移る。
【０１６０】
ステップＳ３２６では、制御装置３１は、前記余剰沸上制御部４０により、前記ヒートポンプ装置１９を制御し、前記ステップＳ３２２で開始した余剰沸上運転を停止する。その後、図２２に戻り、ステップＳ９６に移る。
【０１６１】
ステップＳ９６では、制御装置３１は、前記昼間沸増制御部４２により、この時点での時刻（現在時刻）が前記昼間帯（例えば７：００〜２３：００）の終了時刻（例えば２３：００）となったか否かを判定する。昼間帯終了時刻となっていれば判定が満たされ（Ｓ９６：ＹＥＳ）、図２１に示した前記ステップＳ２に戻り、同様の手順を繰り返す。前記昼間帯終了時刻となっていなければ判定が満たされず（Ｓ９６：ＮＯ）、ステップＳ９２に移る。
【０１６２】
ステップＳ９２では、制御装置３１は、前記昼間沸増制御部４２により、例えば貯湯タンク１０の最上部の貯湯温度センサ１８が所定の湯切れ危険温度以下にまで低下したか否かを判定する。前記湯切れ危険温度より高い温度であればステップＳ９２の判定が満たされず（Ｓ９２：ＮＯ）、前記ステップＳ９６に戻って同様の手順を繰り返す。前記湯切れ危険温度以下であればステップＳ９２の判定が満たされて（Ｓ９２：ＹＥＳ）湯切れ状態であるとみなされ、ステップＳ９４へ移行する。
【０１６３】
ステップＳ９４では、制御装置３１は、前記昼間沸増制御部４２により、前記ヒートポンプ装置１９を制御し、前記湯切れを解消するための所定時間（例えば１時間）の定量沸増運転を行う。その後、前記ステップＳ９６に戻って同様の手順を繰り返す。
【０１６４】
なお、前記図２４のフローに示した各詳細手順において、例えばステップＳ２５２とステップＳ２５４との間に、貯湯式給湯機１が太陽光発電装置３に接続されているか、を判定する手順を設けても良い。この手順では、具体的には、例えば、制御装置３１により、この貯湯式給湯機１が過去に前記「ソーラーモード」で運転した実績がある（例えば運転実績がある場合はそれが履歴として適宜の箇所に記憶されている）か否か、が判定される。あるいは、図１に示したシステム構成において、実際に貯湯式給湯機１が図示のように前記太陽光発電装置３に接続されているか否か、が適宜の手法により制御装置３１により判定されるようにしてもよい。なお、この手順を実行する制御装置３１が各請求項記載の接続判定手段として機能する。この場合、この手順で貯湯式給湯機１が太陽光発電装置３に接続されている、と判定された場合はステップＳ２５４以降の各手順が実行され、貯湯式給湯機１が太陽光発電装置３に接続されていないと判定された場合は図２２のステップＳ７１へ移行する。また、この手順は、ステップＳ２５２より後で、かつステップＳ２６２より前であれば、ステップＳ２５２とステップＳ２５４との間にも限られず、他の位置に配置されていても良い。この場合、少なくとも貯湯式給湯機１が太陽光発電装置３に接続されていると判定された場合に、ステップＳ２６２以降の手順が実行され、貯湯式給湯機１が太陽光発電装置３に接続されていると判定された場合にはステップＳ２６２以降の手順が実行されずに図２２のステップＳ７１へ移行する。
【０１６５】
＜実施形態の効果＞
以上説明したように、本実施形態においては、昼間帯の前記第１所定時刻（前記の例では１２：００）の時点で、貯湯タンク１０内の貯湯量が、それ以降、第２所定時刻（前記の例では２３：００）までに想定される湯水使用量以上であるか（言い換えれば想定される湯水使用量に対して足りているか）が判定される（ステップＳ２６０参照）。そして、前記貯湯量が前記湯水使用量未満である（足りていない）と判断された場合、ポップアップ画面ＰＵにおいて、太陽光利用沸上運転の実行を推奨する前記メッセージＭの表示が行われる。これにより、ユーザは、このままだと日没後の高価な昼間帯の商用電源４９の電力で追加の前記沸上が行われること、それを回避するには太陽光利用沸上運転を実行すればよいこと、を明確に認識することができる。そして、前記メッセージＭに対応してユーザが追加沸上の操作を行うことで、対応する太陽光利用沸上運転が行われる（ステップＳ２７２〜ステップＳ２７６参照）。以上の結果、本実施形態によれば、夜間帯での貯湯の後に予定外に湯水が使用された場合であっても、太陽光利用沸上運転により安価に追加で貯湯タンク１０内の湯水を沸き上げることができる。この結果、ユーザにとっての利便性を向上することができる。
【０１６６】
また、太陽光利用沸上運転を行うための太陽光の照射は、例えば正午近くや午後早めの時間は発電を行うのに十分であったとしても、夕方に近づくほど徐々に小さくなり、ある程度の時刻（例えば１７時等）になると、発電するには不足する状態となる。したがって、その時刻以降はその日の太陽光発電は不可能である。詳細には、前記太陽光利用沸上運転の所要時間を考えれば、前記１７時から当該所要時間分だけ繰り上がった時刻以降は、前記推奨表示を行っても意味がない。そこで、本実施形態においては特に、昼間帯の前記第３所定時刻（前記の例では１５：００）までの間、前記メッセージＭの表示を行い、それ以降は推奨表示を行わない（ステップＳ２６４参照）。これにより、前記のような実質的に意味のない時間帯の推奨表示を確実に回避することができる。
【０１６７】
また、本実施形態では特に、前記メッセージＭの表示が行われている状態での適宜の操作によって、当該メッセージ表示Ｍが消失する（ステップＳ２６６参照）。これにより、前記メッセージＭを確認したユーザが適宜の操作を行うことで、メッセージＭの表示を止めることができる。
【０１６８】
また、そもそも貯湯式給湯機１が太陽光発電装置３に接続されていなければ前記のような太陽光利用沸上運転による低コスト化を図ることはできない。そこで、本実施形態では特に、前記したように、前記貯湯式給湯機１が前記太陽光発電装置３に接続されているか否かを判定し、接続されている場合に限り前記メッセージＭの表示を行うようにすることができる。
【０１６９】
また、前記のように予定外の湯水使用があった日に太陽光利用沸上運転の実行が既に設定されていれば、その後当該設定に沿って太陽光利用沸上運転が行われ、低コストな追加沸上を行うことができる。そこで、本実施形態では特に、前記ステップＳ２５４においてそのような太陽光利用沸上運転の実行設定がなされているか否かを判定する（Ｆ＝０であれば実行設定がなされている）ことで、設定されていない場合に限り前記メッセージＭの表示を行うことができる。
【０１７０】
また、本実施形態では特に、前記ステップＳ２７０において、前記メッセージＭの表示を確認したユーザによる追加沸上の操作があったと判定された場合には、前記第１沸上操作に基づく定時間沸上、前記第２沸上操作に基づく定量沸上、前記第３沸上操作に基づくタンク全量沸上、のいずれかを確実に行うことができる。
【０１７１】
なお、本発明は以上の態様に限定されることなく、その趣旨を変更しない範囲で適用可能なものであり、例えばヒートポンプ装置１９に代えて、電気ヒータ式の加熱手段を用いても良いものである。
また、以上においては、リモコン装置５０の設定画面６０Ｂ〜６０Ｍで、太陽光利用沸上運転の実行・不実行の選択及びその開始時刻の設定を、連続する２日間にわたって、かつ、各期日ごとに個別に行えるようにしたが、これに限られない。すなわち、詳細な図示を省略するが、前記同様の設定画面において、太陽光利用沸上運転の実行・不実行の選択及びその開始時刻の設定を、連続する所定の連続期日（例えば一週間等の適宜の日数）にわたって、全期日共通に一括して行えるようにしてもよい。この場合の発明は、前記と同様、前記所望日（図２１〜図２４に示すフローによる制御手順が実行開始される日）の翌日以降を起算日とする前記一週間について、一括して設定を行う構成となる。
また、その場合、前記表示制御部３３Ｂの機能として前述した前記設定画面６０Ｂ〜６０Ｍの日付表示部１６３での日付表示についても、前記一週間分の日付のうち最終日付を表示するようにすることができる。
またその場合、前記表示制御部３３Ｂの機能として前述した前記待機画面６０Ｐ〜６０Ｒの余剰沸上予告マークＭＫや日付表示部１７１や時刻表示部１７２の表示についても、前記太陽光利用沸上運転を実行する連続期日（例えば一週間）のうち最終日の前日までは余剰沸上予告マークＭＫとその最終日の日付を表示し、最終日当日となったら（最終日当日の１：００からでもよい）、当該最終日の日付に代えて太陽光利用沸上運転の開始時刻を表示するようにすることもできる。
またその場合、前記余剰沸上実行部３３Ａにおいて前述した前記太陽光利用沸上運転の実行・不実行の設定の取り消しについても、前記のようにして一括設定した内容を一括して取り消し可能とすることもできる。
さらに前記の場合、前記余剰沸上設定部３３Ｃにおいて前述した前記太陽光利用沸上運転の実行時の太陽光利用沸上運転の開始時刻の設定の変更についても、前記のようにして一括設定した内容を一括して変更することもできる。
【０１７２】
また、以上において、図４等の各図中に示す矢印は信号の流れの一例を示すものであり、信号の流れ方向を限定するものではない。
【０１７３】
また、図２１〜図２４に示すフローチャート図は本発明を上記フローに示す手順に限定するものではなく、発明の趣旨及び技術的思想を逸脱しない範囲内で手順の追加・削除又は順番の変更等をしてもよい。
【符号の説明】
【０１７４】
１                貯湯式給湯機
３                太陽光発電装置
１０                貯湯タンク
１８                貯湯温度センサ（検出手段）
１９                ヒートポンプ装置（加熱手段）
３１                制御装置
３３Ａ              余剰沸上実行部
３３Ｂ              表示制御部（推奨表示制御手段、消失制御手段）
３３Ｃ              余剰沸上設定部
４０                余剰沸上制御部
４２                昼間沸増制御部（実行判定手段、貯湯量判定手段、沸上操作受付手段、加熱制御手段）
５０                リモコン装置
６０                画面表示部（表示手段）
６０Ｂ〜Ｍ          設定画面
６０Ａ，Ｐ〜Ｒ      待機画面
【図１】
2020109327.tif 000003
【図２】
2020109327.tif 000004
【図３】
2020109327.tif 000005
【図４】
2020109327.tif 000006
【図５】
2020109327.tif 000007
【図６】
2020109327.tif 000008
【図７】
2020109327.tif 000009
【図８】
2020109327.tif 000010
【図９】
2020109327.tif 000011
【図１０】
2020109327.tif 000012
【図１１】
2020109327.tif 000013
【図１２】
2020109327.tif 000014
【図１３】
2020109327.tif 000015
【図１４】
2020109327.tif 000016
【図１５】
2020109327.tif 000017
【図１６】
2020109327.tif 000018
【図１７】
2020109327.tif 000019
【図１８】
2020109327.tif 000020
【図１９】
2020109327.tif 000021
【図２０】
2020109327.tif 000022
【図２１】
2020109327.tif 000023
【図２２】
2020109327.tif 000024
【図２３】
2020109327.tif 000025
【図２４】
2020109327.tif 000026